(57)【要約】      （修正有）【課題】各種物品の収納作業に携った本人のみならず、第三者でも誤りなく瞬時に取り出せる屋内用の便利な物品整理保管庫を提供する。【解決手段】仕切り壁パネル受け入れ溝レール１１を備えた第１、２囲いパネルＦ１、Ｆ２と、仕切りプレート受け入れ溝レール１５を備えた第３、４囲いパネルＦ３Ｆ４と、背面パネル１５とから正面だけが開放する直方体型の保管庫本体Ａを枠組み一体化し、上記溝レール１１の向かい合う相互間へ同じ仕切りプレート受け入れ溝レール２３を備えた端部仕切り壁パネル２０の１個と中間仕切り壁パネル２１、２２の少なくとも２個１組とを正面から差し込む一方、上記溝レール１５，２３の向かい合う相互間へ仕切りプレート２８を正面から抜き差し自在に差し込む。【選択図】図１
2006198009.tif 000002
【特許請求の範囲】
【請求項１】
一定の開口幅（Ｓ１）と間隔ピッチ（Ｐ１）を保つ平行な多数の仕切り壁パネル受け入れ溝レール（１１）が、内側板面の奥行方向に沿って列設された互いに同じ向かい合う一対の第１、２囲いパネル（Ｆ１）（Ｆ２）と、
その第１、２囲いパネル（Ｆ１）（Ｆ２）の仕切り壁パネル受け入れ溝レール（１１）と直交する配列関係になる多数の平行な仕切りプレート受け入れ溝レール（１５）が、上記仕切り壁パネル受け入れ溝レール（１１）よりも狭い一定の開口幅（Ｓ２）と間隔ピッチ（Ｐ２）を保って、やはり内側板面の奥行方向に沿って列設された互いに同じ向かい合う一対の第３、４囲いパネル（Ｆ３）（Ｆ４）と、
その第３、４囲いパネル（Ｆ３）（Ｆ４）の仕切りプレート受け入れ溝レール（１５）と同じ平行な多数の仕切りプレート受け入れ溝レール（２３）が、片側板面の奥行方向に沿って列設された少なくとも１個の仕切り壁パネル（２０）とを備え、
上記第１〜４囲いパネル（Ｆ１）（Ｆ２）（Ｆ３）（Ｆ４）と背面パネル（Ｆ５）とから、正面だけが開放する直方体型又は立方体型の保管庫本体（Ａ）を枠組み一体化し、
上記第３、４囲いパネル（Ｆ３）（Ｆ４）のうち、その何れか一方における第３囲いパネル（Ｆ３）の木口面へ正面から端部装飾パネル（１９）を、その第３囲いパネル（Ｆ３）の仕切りプレート受け入れ溝レール（１５）が閉塞されないように被着一体化する一方、
残る他方の第４囲いパネル（Ｆ４）と隣り合う位置に並列することとなる端部仕切り壁パネル（２０）の１個を、上記第１、２囲いパネル（Ｆ１）（Ｆ２）の向かい合う仕切り壁パネル受け入れ溝レール（１１）へ正面から差し込み固定して、
その端部仕切り壁パネル（２０）と第４囲いパネル（Ｆ４）との両木口面に亘って、正面から上記端部装飾パネル（１９）よりも広い一定板幅（Ｗ２）の端部インデックスパネル（２６）を、その端部仕切り壁パネル（２０）の仕切りプレート受け入れ溝レール（２３）が閉塞されないように被着一体化すると共に、
上記第３囲いパネル（Ｆ３）と端部仕切り壁パネル（２０）との仕切りプレート受け入れ溝レール（１５）（２３）同志が向かい合う相互間に亘って、正面から所要数の仕切りプレート（２８）を抜き差し自在に差し込み使用することにより、上記保管庫本体（Ａ）の枠内を複数の物品収納室（Ｒ）として仕切り細分し、
その複数の物品収納室（Ｒ）毎に収納される各種物品の見出しとなる識別標章（２９）を、上記端部インデックスパネル（２６）へ付与できるように定めたことを特徴とする物品整理保管庫。
【請求項２】
第４囲いパネル（Ｆ４）と隣り合う位置に並列することとなる端部仕切り壁パネル（２０）の１個のみならず、その端部仕切り壁パネル（２０）と第３囲いパネル（Ｆ３）との向かい合う相互間に介在することとなる同じ中間仕切り壁パネル（２１）（２２）の少なくとも２個１組を、その片側板面に開口する仕切りプレート受け入れ溝レール（２３）同志が相反する外向きになる並列状態として、第１、２囲いパネル（Ｆ１）（Ｆ２）の向かい合う仕切り壁パネル受け入れ溝レール（１１）へ正面から抜き差し自在に差し込むと共に、
上記中間仕切り壁パネル（２１）（２２）同志の両木口面に亘って、正面から端部装飾パネル（１９）よりも広い一定板幅（Ｗ３）の中間インデックスパネル（２７）を、その両仕切りプレート受け入れ溝レール（２３）が閉塞されないように被着一体化して、
複数の物品収納室（Ｒ）毎に収納される物品の見出しとなる識別標章（２９）を、上記中間インデックスパネル（２７）にも付与できるように定めたことを特徴とする請求項１記載の物品整理保管庫。
【請求項３】
第１、２囲いパネル（Ｆ１）（Ｆ２）が合板やパーティクルボード、ＭＤＦなどの木質基材をメラミン樹脂やその他の合成樹脂製化粧シートによりオーバーレイしたパネル本体化粧板（１２）と、予じめ仕切り壁パネル受け入れ溝レール（１１）を切り欠き加工した同じ溝付き化粧板（１３）とから貼り合わされている一方、
第３、４囲いパネル（Ｆ３）（Ｆ４）と仕切り壁パネル（２０）（２１）（２２）とが悉く実質的に同じ構成として、その何れも合板やパーティクルボード、ＭＤＦなどの木質基材をメラミン樹脂やその他の合成樹脂製化粧シートによりオーバーレイしたパネル本体化粧板（１６）（２４）と、予じめ仕切りプレート受け入れ溝レール（１５）（２３）を切り欠き加工した同じ溝付き化粧板（１７）（２５）とから貼り合わされていることを特徴とする請求項１又は２記載の物品整理保管庫。
【請求項４】
一定の開口幅（Ｓ４）と間隔ピッチ（Ｐ４）を保つ平行な多数の仕切りプレート受け入れ溝レール（３２）が、内側板面の奥行方向に沿って列設された互いに同じ向かい合う一対の第１、２囲いパネル（Ｆ１）（Ｆ２）と、
その第１、２囲いパネル（Ｆ１）（Ｆ２）の仕切りプレート受け入れ溝レール（３２）と直交する配列関係になる同じ平行な多数の仕切りプレート受け入れ溝レール（１５）が、やはり内側板面の奥行方向に沿って列設された互いに同じ向かい合う一対の第３、４囲いパネル（Ｆ３）（Ｆ４）と、
上記第１〜４囲いパネル（Ｆ１）（Ｆ２）（Ｆ３）（Ｆ４）の仕切りプレート受け入れ溝レール（３２）（１５）と同じ平行な多数の仕切りプレート受け入れ溝レール（２３）が、片側板面の奥行方向に沿って列設され、且つ上記第１〜４囲いパネル（Ｆ１）（Ｆ２）（Ｆ３）（Ｆ４）の仕切りプレート受け入れ溝レール（３２）（１５）へ差し込み可能な差し込み凸レール（３３）が、両端木口面の奥行方向に沿って列設された少なくとも１個の仕切り壁パネル（２０）とを備え、
上記第１〜４囲いパネル（Ｆ１）（Ｆ２）（Ｆ３）（Ｆ４）と背面パネル（Ｆ５）とから、正面だけが開放する直方体型又は立方体型の保管庫本体（Ａ）を枠組み一体化し、
上記第３、４囲いパネル（Ｆ３）（Ｆ４）のうち、その何れか一方における第３囲いパネル（Ｆ３）の木口面へ正面から端部装飾パネル（１９）を、その第３囲いパネル（Ｆ３）の仕切りプレート受け入れ溝レール（１５）が閉塞されないように被着一体化する一方、
残る他方の第４囲いパネル（Ｆ４）と隣り合う位置に１個だけ並列することとなる端部仕切り壁パネル（２０）の差し込み凸レール（３３）を、上記第１、２囲いパネル（Ｆ１）（Ｆ２）の向かい合う仕切りプレート受け入れ溝レール（３２）へ正面から差し込み固定して、
その端部仕切り壁パネル（２０）と第４囲いパネル（Ｆ４）との両木口面に亘って、正面から上記端部装飾パネル（１９）よりも広い一定板幅（Ｗ２）の端部インデックスパネル（２６）を、その端部仕切り壁パネル（２０）の仕切りプレート受け入れ溝レール（２３）が閉塞されないように被着一体化すると共に、
上記第３囲いパネル（Ｆ３）と端部仕切り壁パネル（２０）との仕切りプレート受け入れ溝レール（１５）（２３）同志が向かい合う相互間に亘って、正面から所要数の仕切りプレート（２８）を抜き差し自在に差し込み使用することにより、上記保管庫本体（Ａ）の枠内を複数の物品収納室（Ｒ）として仕切り細分し、
その複数の物品収納室（Ｒ）毎に収納される各種物品の見出しとなる識別標章（２９）を、上記端部インデックスパネル（２６）へ付与できるように定めたことを特徴とする物品整理保管庫。
【請求項５】
第４囲いパネル（Ｆ４）と隣り合う位置に並列することとなる端部仕切り壁パネル（２０）の１個のみならず、その端部仕切り壁パネル（２０）と第３囲いパネル（Ｆ３）との向かい合う相互間に介在することとなる同じ中間仕切り壁パネル（２１）（２２）の少なくとも２個１組を、その片側板面に開口する仕切りプレート受け入れ溝レール（２３）同志が相反する外向きになる並列状態として、その両中間仕切り壁パネル（２１）（２２）の差し込み凸レール（３３）を第１、２囲いパネル（Ｆ１）（Ｆ２）の向かい合う仕切りプレート受け入れ溝レール（３２）へ正面から抜き差し自在に差し込むと共に、
上記中間仕切り壁パネル（２１）（２２）同志の両木口面に亘って、正面から端部装飾パネル（１９）よりも広い一定板幅（Ｗ３）の中間インデックスパネル（２７）を、その両仕切りプレート受け入れ溝レール（２３）が閉塞されないように被着一体化して、
複数の物品収納室（Ｒ）毎に収納される各種物品の見出しとなる識別標章（２９）を、上記中間インデックスパネル（２７）にも付与できるように定めたことを特徴とする請求項４記載の物品整理保管庫。
【請求項６】
中間仕切り壁パネル（２１）（２２）と第３囲いパネル（Ｆ３）との仕切りプレート受け入れ溝レール（２３）（１５）同志が向かい合う相互間、同じく中間仕切り壁パネル（２１）（２２）と第４囲いパネル（Ｆ４）との仕切りプレート受け入れ溝レール（２３）（１５）同志が向かい合う相互間、又は／及び２個１組づつとして隣り合う中間仕切り壁パネル（２１）（２２）同志の仕切りプレート受け入れ溝レール（２３）が向かい合う相互間へ、
上記中間仕切り壁パネル（２１）（２２）と直角に交叉することとなる別個な中間仕切り壁パネル（２１ａ）（２２ａ）の少なくとも２個１組を増設すべく、その差し込み凸レール（３３）を正面から抜き差し自在に差し込むと共に、
上記別個に増設した中間仕切り壁パネル（２１ａ）（２２ａ）同志の両木口面に亘っても正面から中間インデックスパネル（２７）を、その両仕切りプレート受け入れ溝レール（２３）がやはり閉塞されないように被着一体化したことを特徴とする請求項５記載の物品整理保管庫。
【請求項７】
一定の開口幅（Ｓ４）と間隔ピッチ（Ｐ４）を保つ平行な多数の仕切りプレート受け入れ溝レール（３２）が、内側板面の奥行方向に沿って列設された互いに同じ向かい合う一対の第１、２囲いパネル（Ｆ１）（Ｆ２）と、
その第１、２囲いパネル（Ｆ１）（Ｆ２）の仕切りプレート受け入れ溝レール（３２）と直交する配列関係になる同じ平行な多数の仕切りプレート受け入れ溝レール（１５）が、やはり内側板面の奥行方向に沿って列設された互いに同じ向かい合う一対の第３、４囲いパネル（Ｆ３）（Ｆ４）と、
上記第１〜４囲いパネル（Ｆ１）（Ｆ２）（Ｆ３）（Ｆ４）の仕切りプレート受け入れ溝レール（３２）（１５）と同じ平行な多数の仕切りプレート受け入れ溝レール（２３）が、片側板面の奥行方向に沿って列設され、且つ上記第１〜４囲いパネル（Ｆ１）（Ｆ２）（Ｆ３）（Ｆ４）の仕切りプレート受け入れ溝レール（３２）（１５）へ差し込み可能な差し込み凸レール（３３）が、両端木口面の奥行方向に沿って列設された少なくとも１個の仕切り壁パネル（２０）とを備え、
上記第１〜４囲いパネル（Ｆ１）（Ｆ２）（Ｆ３）（Ｆ４）と背面パネル（Ｆ５）とから、正面だけが開放する直方体型又は立方体型の保管庫本体（Ａ）を枠組み一体化し、
上記第１、２囲いパネル（Ｆ１）（Ｆ２）のうち、その何れか一方における第２囲いパネル（Ｆ２）の木口面へ正面から端部装飾パネル（１９）を、その第２囲いパネル（Ｆ２）の仕切りプレート受け入れ溝レール（３２）が閉塞されないように被着一体化する一方、
残る他方の第１囲いパネル（Ｆ１）と隣り合う位置に１個だけ並列することとなる端部仕切り壁パネル（２０）の差し込み凸レール（３３）を、上記第３、４囲いパネル（Ｆ３）（Ｆ４）の向かい合う仕切りプレート受け入れ溝レール（１５）へ正面から差し込み固定して、
その端部仕切り壁パネル（２０）と第１囲いパネル（Ｆ１）との両木口面に亘って、正面から上記端部装飾パネル（１９）よりも広い一定板幅（Ｗ２）の端部インデックスパネル（２６）を、その端部仕切り壁パネル（２０）の仕切りプレート受け入れ溝レール（２３）が閉塞されないように被着一体化すると共に、
上記第２囲いパネル（Ｆ２）と端部仕切り壁パネル（２０）との仕切りプレート受け入れ溝レール（３２）（２３）同志が向かい合う相互間に亘って、正面から所要数の仕切りプレート（２８）を抜き差し自在に差し込み使用することにより、上記保管庫本体（Ａ）の枠内を複数の物品収納室（Ｒ）として仕切り細分し、
その複数の物品収納室（Ｒ）毎に収納される各種物品の見出しとなる識別標章（２９）を、上記端部インデックスパネル（２６）へ付与できるように定めたことを特徴とする物品整理保管庫。
【請求項８】
第１囲いパネル（Ｆ１）と隣り合う位置に並列することとなる端部仕切り壁パネル（２０）の１個のみならず、その端部仕切り壁パネル（２０）と第２囲いパネル（Ｆ２）との向かい合う相互間に介在することとなる同じ中間仕切り壁パネル（２１）（２２）の少なくとも２個１組を、その片側板面に開口する仕切りプレート受け入れ溝レール（２３）同志が相反する外向きになる並列状態として、その両中間仕切り壁パネル（２１）（２２）の差し込み凸レール（３３）を第３、４囲いパネル（Ｆ３）（Ｆ４）の向かい合う仕切りプレート受け入れ溝レール（１５）へ正面から抜き差し自在に差し込むと共に、
上記中間仕切り壁パネル（２１）（２２）同志の両木口面に亘って、正面から端部装飾パネル（１９）よりも広い一定板幅（Ｗ３）の中間インデックスパネル（２７）を、その両仕切りプレート受け入れ溝レール（２３）が閉塞されないように被着一体化して、
複数の物品収納室（Ｒ）毎に収納される各種物品の見出しとなる識別標章（２９）を、上記中間インデックスパネル（２７）にも付与できるように定めたことを特徴とする請求項７記載の物品整理保管庫。
【請求項９】
中間仕切り壁パネル（２１）（２２）と第２囲いパネル（Ｆ２）との仕切りプレート受け入れ溝レール（２３）（３２）同志が向かい合う相互間、同じく中間仕切り壁パネル（２１）（２２）と第１囲いパネル（Ｆ１）との仕切りプレート受け入れ溝レール（２３）（３２）同志が向かい合う相互間、又は／及び２個１組づつとして隣り合う中間仕切り壁パネル（２１）（２２）同志の仕切りプレート受け入れ溝レール（２３）が向かい合う相互間へ、
上記中間仕切り壁パネル（２１）（２２）と直角に交叉することとなる別個な中間仕切り壁パネル（２１ｂ）（２２ｂ）の少なくとも２個１組を増設すべく、その差し込み凸レール（３３）を正面から抜き差し自在に差し込むと共に、
上記別個に増設した中間仕切り壁パネル（２１ｂ）（２２ｂ）同志の両木口面に亘っても正面から中間インデックスパネル（２７）を、その両仕切りプレート受け入れ溝レール（２３）がやはり閉塞されないように被着一体化したことを特徴とする請求項８記載の物品整理保管庫。
【請求項１０】
第１〜４囲いパネル（Ｆ１）（Ｆ２）（Ｆ３）（Ｆ４）と仕切り壁パネル（２０）（２１）（２２）（２１ａ）（２２ａ）（２１ｂ）（２２ｂ）とが悉く実質的に同じ構成として、その何れも合板やパーティクルボード、ＭＤＦなどの木質基材をメラミン樹脂やその他の合成樹脂製化粧ーシートによりオーバーレイしたパネル本体化粧板（１２）（１６）（２４）と、予じめ仕切りプレート受け入れ溝レール（１５）（２３）（３２）を切り欠き加工した同じ溝付き化粧板（１３）（１７）（２５）とから貼り合わされていることを特徴とする請求項４、５、６、７、８又は９記載の物品整理保管庫。
【請求項１１】
端部インデックスパネル（２６）と中間インデックスパネル（２７）とを互いに同じ一定板幅（Ｗ２）（Ｗ３）のそれとして兼用できるように定めたことを特徴とする請求項２、３、５、６、８又は９記載の物品整理保管庫。
【請求項１２】
仕切りプレート（２８）を着色合成樹脂の被膜（３０）がラミネートされた合板、又は透明若しくは着色の合成樹脂板として、長方形又は正方形に造形すると共に、
その仕切りプレート受け入れ溝レール（１５）（２３）（３２）への差し込み方向となる正面側又は背面側の一辺に、操作手の指先挿入切欠（３１）を付与したことを特徴とする請求項１、２、３、４、５、６、７、８又は９記載の物品整理保管庫。
【請求項１３】
保管庫本体（Ａ）が据え付け使用される下面に、その据え付け高さの調整可能な接地脚座（３４）又は据え付け場所の移動可能な接地キャスター（３５）を取り付けたことを特徴とする請求項１、２、３、４、５、６、７、８又は９記載の物品整理保管庫。
【請求項１４】
保管庫本体（Ａ）が据え付け使用される下面に、正面から開閉可能な仕切りプレート用収納ボックス（３８）を付属させたことを特徴とする請求項１、２、３、４、５、６、７、８又は９記載の物品整理保管庫。
【請求項１５】
保管庫本体（Ａ）に携帯用又は引出し用の把手（４９）（５０）を取り付けたことを特徴とする請求項１、２、３、４、５、６、７、８又は９記載の物品整理保管庫。
【請求項１６】
保管庫本体（Ａ）へ枢着した回動扉（４４）又は保管庫本体（Ａ）へ抜き差し自在に差し込んだスライドシャッター（４７）によって、その正面を開閉できるように定めたことを特徴とする請求項１、２、３、４、５、６、７、８又は９記載の物品整理保管庫。    
【請求項１７】
保管庫本体（Ａ）の複数を、その仕切り壁パネル（２１）（２２）（２１ａ）（２２ａ）（２１ｂ）（２２ｂ）同志の配列方向性や仕切りプレート（２８）同志の配列方向性が互いに直交することとなるように組み合わせユニット化したことを特徴とする請求項１、２、３、４、５、６、７、８又は９記載の物品整理保管庫。
【発明の詳細な説明】
【技術分野】
【０００１】
本発明は一般家庭や事務所、学校、病院などの屋内に据え付け使用されて、新聞や雑誌、プリント用紙、カタログ、伝票、手紙、コンパクトディスク（ＣＤ）、カルテファイルなどのサイズ・形状・硬さ・厚みが一様に揃った各種物品のみならず、これらの不揃いに変化した衣料品やトイレタリー用品、食器、プラスチックフィルム製袋類、その他の各種物品を誰でも瞬時に誤まりなく取り出せる物品整理保管庫に関する。
【背景技術】
【０００２】
この種の物品整理保管庫として、本発明者は先に特開２００１−２７０２７８号を提案した。
【０００３】
そして、この公知発明にはメイン天板（２）とサブ天板（３）、棚板受け支え側板（４）、背板（５）、地板（６）並びに棚板受け支え構造体（９）から成る正面の開放した本体（１）が記載されており、各列の溝へ差し込み使用される可動式の棚板（７）によって、その本体（１）の空間（１２）を仕切り細分するようになっている。
【０００４】
更に、項目（１３）を記入又は付着させ得る項目パネル（８）が、可動式の棚板（７）と常にセットになるように取り付けられた旨も説明されており、そのため棚板（７）による仕切り空間（１２）へ収納した各種物品を、これと隣り合う項目パネル（８）の項目（１３）に基いて、その収納作業に直接携った本人のみならず、本人以外の第三者でも瞬時に誤まりなく取り出せる利点がある。
【特許文献１】特開２００１−２７０２７８号公報
【特許文献２】特開２００３−９３１７２号公報
【発明の開示】
【発明が解決しようとする課題】
【０００５】
ところが、その後もユーザーの要望を聴き取り採集して、鋭意検討を重ねてきた結果、先の特開２００１−２７０２７８号発明に記載された程度の構成にとどまる限りでは、その実施事業化に当って、未だ解決すべき下記問題点のあることが判明した。
【０００６】
即ち、この公知発明の各列となる棚板受け支え側板（４）と項目パネル（８）並びに棚板受け支え構造体（９）には、図２の記載から確認できるように、棚板（７）を受け入れる溝が設けられており、又項目パネル（８）のスライド操作や着脱操作によって、その仕切り間隔を広狭調整できる旨の説明もあるが、その項目パネル（８）を受け入れるための溝はサブ天板（３）と地板（６）に全然設けられていない。
【０００７】
その結果、本体（１）の組立やその仕切り間隔の広狭調整を行なう際には、上記項目パネル（８）による縦仕切り位置の寸法を一々測定して、その仕切り間隔を割り出し計算する必要があり、甚だ煩らわしいばかりでなく、その計算上万一誤まりを生じた場合には、項目パネル（８）が本体（１）の各列として平行な垂直の設置状態を保たず、棚板（７）も平行な水平の設置状態として円滑に正しく差し込み使用できなくなる。
【０００８】
又、上記公知発明の構成では棚板受け支え側板（４）と棚板受け支え構造体（９）との向かい合う一対のみならず、その相互間に介在する項目パネル（８）も含む合計３種が、そもそも別異に作成準備されており、その構成部材を互いに兼用していないため、本体（１）の組立精度にバラツキを生じやすく、物品整理保管庫としての量産効果を最大限に発揮させることができない。
【０００９】
更に、上記公知発明の図１〜１８にはその物品整理保管庫の具体的な各種使用例が開示されており、又本体（１）をセパレート型として並列したり、或いは背中合わせにしたりして、２人での同時に利用できる旨の説明もあるが、その各種使用例の何れを見るも、棚板受け支え側板（４）と棚板受け支え構造体（９）並びに項目パネル（８）は垂直の設置状態に限られている一方、その結果棚板（７）も水平の設置状態に限られた単調な仕切りパターンを示しているに過ぎない。
【００１０】
念のために言えば、図７に示された車内用の携帯型と、図１０に示されたトレー型では、その本体（１）の開放した正面が上向きの使用状態にあるが、これらの物品整理保管庫でも棚板（７）の配列方向性としては、その垂直方向のみ又は水平方向のみの一方向に限られた単調な仕切りパターンであることに変りがない。
【００１１】
その結果、棚板（７）が項目パネル（８）や棚板受け支え構造体（９）に比し薄肉であることとも相俟って、各種物品のサイズや形状、硬さ、厚みなどの如何では、ユーザーにとってその棚板（７）をいたづらに繁しく差し替える必要に迫られることとなり、各種物品に対する対応性と使用上の利便性に劣る問題がある。
【００１２】
この点、特開２００３−９３１７２号発明には枠体（Ｒ）を介して、複数の家具本体（Ｑ１）を連結できる旨が記載されているが、その横並び状態の連結使用例を示す図８でも、棚板（Ｑ３）は悉く水平の設置状態にあり、その配列方向性として一方向のみに限られているため、特開２００１−２７０２７８号発明と同じ上記問題を生じる。
【００１３】
又、特開２００３−９３１７２号発明に記載の収納家具では、その天板（Ｑ１２１）の下面に付属するシート材（スチール製板材）（Ｑ１２２）と、底板（Ｑ１３１）の上面に付属する同じシート材（Ｑ１３２）に、中仕切り部材（Ｑ２）を受け入れるためのガイド溝（Ｑ１２２ａ）（Ｑ１３２ａ）が各々プレス加工されている結果、特開２００１−２７０２７８号発明の上記問題が解消され、その中仕切り部材（Ｑ２）を家具本体（Ｑ１）の正面から円滑に正しく差し込み使用でき、これによる仕切り間隔も容易に広狭調整し得る利点があると言える。
【００１４】
しかし、この特開２００３−９３１７２号発明でも家具本体（Ｑ１）の側壁（Ｑ１１）と、上記中仕切り部材（Ｑ２）との２種はそもそも別異の構成として作成準備されている。
【００１５】
つまり、中仕切り部材（Ｑ２）の構成としては芯材（角パイプ材）（Ｑ２３）の両端部へ、上下一対のプレート（Ｑ２２）を溶接一体化するほか、棚受け溝（Ｑ２４６）が成形された仕切り板（アクリル樹脂板）（Ｑ２４）の一対を、その芯材（Ｑ２３）へ左右方向から挟み付け固定する必要がある。
【００１６】
他方、家具本体（Ｑ１）の側壁（Ｑ１１）はパネル板（Ｐ１１）から成り、その構成として棚受け溝（Ｑ１１３ａ）が成形された内側板（Ｑ１１３）を、その側部パネル（Ｑ１１１）の内側面へ複数のビスによって取り付け固定する必要があるため、上記特開２００１−２７０２７８号発明と同様に、家具本体（Ｑ１）の組立品質を均一に保ち難く、収納家具としての量産効果を最大限に発揮させることができない。
【課題を解決するための手段】
【００１７】
本発明はこのような問題点の改良を目的としており、その目的を達成するために、請求項１の構成では、一定の開口幅と間隔ピッチを保つ平行な多数の仕切り壁パネル受け入れ溝レールが、内側板面の奥行方向に沿って列設された互いに同じ向かい合う一対の第１、２囲いパネルと、
【００１８】
その第１、２囲いパネルの仕切り壁パネル受け入れ溝レールと直交する配列関係になる多数の平行な仕切りプレート受け入れ溝レールが、上記仕切り壁パネル受け入れ溝レールよりも狭い一定の開口幅と間隔ピッチを保って、やはり内側板面の奥行方向に沿って列設された互いに同じ向かい合う一対の第３、４囲いパネルと、
【００１９】
その第３、４囲いパネルの仕切りプレート受け入れ溝レールと同じ平行な多数の仕切りプレート受け入れ溝レールが、片側板面の奥行方向に沿って列設された少なくとも１個の仕切り壁パネルとを備え、
【００２０】
上記第１〜４囲いパネルと背面パネルとから、正面だけが開放する直方体型又は立方体型の保管庫本体を枠組み一体化し、
【００２１】
上記第３、４囲いパネルのうち、その何れか一方における第３囲いパネルの木口面へ正面から端部装飾パネルを、その第３囲いパネルの仕切りプレート受け入れ溝レールが閉塞されないように被着一体化する一方、
【００２２】
残る他方の第４囲いパネルと隣り合う位置に並列することとなる端部仕切り壁パネルの１個を、上記第１、２囲いパネルの向かい合う仕切り壁パネル受け入れ溝レールへ正面から差し込み固定して、
【００２３】
その端部仕切り壁パネルと第４囲いパネルとの両木口面に亘って、正面から上記端部装飾パネルよりも広い一定板幅の端部インデックスパネルを、その端部仕切り壁パネルの仕切りプレート受け入れ溝レールが閉塞されないように被着一体化すると共に、
【００２４】
上記第３囲いパネルと端部仕切り壁パネルとの仕切りプレート受け入れ溝レール同志が向かい合う相互間に亘って、正面から所要数の仕切りプレートを抜き差し自在に差し込み使用することにより、上記保管庫本体の枠内を複数の物品収納室として仕切り細分し、
【００２５】
その複数の物品収納室毎に収納される各種物品の見出しとなる識別標章を、上記端部インデックスパネルへ付与できるように定めたことを特徴とする。
【００２６】
請求項２の構成では、第４囲いパネルと隣り合う位置に並列することとなる端部仕切り壁パネルの１個のみならず、その端部仕切り壁パネルと第３囲いパネルとの向かい合う相互間に介在することとなる同じ中間仕切り壁パネルの少なくとも２個１組を、その片側板面に開口する仕切りプレート受け入れ溝レール同志が相反する外向きになる並列状態として、第１、２囲いパネルの向かい合う仕切り壁パネル受け入れ溝レールへ正面から抜き差し自在に差し込むと共に、
【００２７】
上記中間仕切り壁パネル同志の両木口面に亘って、正面から端部装飾パネルよりも広い一定板幅の中間インデックスパネルを、その両仕切りプレート受け入れ溝レールが閉塞されないように被着一体化して、
【００２８】
複数の物品収納室毎に収納される物品の見出しとなる識別標章を、上記中間インデックスパネルにも付与できるように定めたことを特徴とする。
【００２９】
請求項３の構成では、第１、２囲いパネルが合板やパーティクルボード、ＭＤＦなどの木質基材をメラミン樹脂やその他の合成樹脂製化粧シートによりオーバーレイしたパネル本体化粧板と、予じめ仕切り壁パネル受け入れ溝レールを切り欠き加工した同じ溝付き化粧板とから貼り合わされている一方、
【００３０】
第３、４囲いパネルと仕切り壁パネルとが悉く実質的に同じ構成として、その何れも合板やパーティクルボード、ＭＤＦなどの木質基材をメラミン樹脂やその他の合成樹脂製化粧シートによりオーバーレイしたパネル本体化粧板と、予じめ仕切りプレート受け入れ溝レールを切り欠き加工した同じ溝付き化粧板とから貼り合わされていることを特徴とする。
【００３１】
又、請求項４の構成では、一定の開口幅と間隔ピッチを保つ平行な多数の仕切りプレート受け入れ溝レールが、内側板面の奥行方向に沿って列設された互いに同じ向かい合う一対の第１、２囲いパネルと、
【００３２】
その第１、２囲いパネルの仕切りプレート受け入れ溝レールと直交する配列関係になる同じ平行な多数の仕切りプレート受け入れ溝レールが、やはり内側板面の奥行方向に沿って列設された互いに同じ向かい合う一対の第３、４囲いパネルと、
【００３３】
上記第１〜４囲いパネルの仕切りプレート受け入れ溝レールと同じ平行な多数の仕切りプレート受け入れ溝レールが、片側板面の奥行方向に沿って列設され、且つ上記第１〜４囲いパネルの仕切りプレート受け入れ溝レールへ差し込み可能な差し込み凸レールが、両端木口面の奥行方向に沿って列設された少なくとも１個の仕切り壁パネルとを備え、
【００３４】
上記第１〜４囲いパネルと背面パネルとから、正面だけが開放する直方体型又は立方体型の保管庫本体を枠組み一体化し、
【００３５】
上記第３、４囲いパネルのうち、その何れか一方における第３囲いパネルの木口面へ正面から端部装飾パネルを、その第３囲いパネルの仕切りプレート受け入れ溝レールが閉塞されないように被着一体化する一方、
【００３６】
残る他方の第４囲いパネルと隣り合う位置に１個だけ並列することとなる端部仕切り壁パネルの差し込み凸レールを、上記第１、２囲いパネルの向かい合う仕切りプレート受け入れ溝レールへ正面から差し込み固定して、
【００３７】
その端部仕切り壁パネルと第４囲いパネルとの両木口面に亘って、正面から上記端部装飾パネルよりも広い一定板幅の端部インデックスパネルを、その端部仕切り壁パネルの仕切りプレート受け入れ溝レールが閉塞されないように被着一体化すると共に、
【００３８】
上記第３囲いパネルと端部仕切り壁パネルとの仕切りプレート受け入れ溝レール同志が向かい合う相互間に亘って、正面から所要数の仕切りプレートを抜き差し自在に差し込み使用することにより、上記保管庫本体の枠内を複数の物品収納室として仕切り細分し、
【００３９】
その複数の物品収納室毎に収納される各種物品の見出しとなる識別標章を、上記端部インデックスパネルへ付与できるように定めたことを特徴とする。
【００４０】
請求項５の構成では、第４囲いパネルと隣り合う位置に並列することとなる端部仕切り壁パネルの１個のみならず、その端部仕切り壁パネルと第３囲いパネルとの向かい合う相互間に介在することとなる同じ中間仕切り壁パネルの少なくとも２個１組を、その片側板面に開口する仕切りプレート受け入れ溝レール同志が相反する外向きになる並列状態として、その両中間仕切り壁パネルの差し込み凸レールを第１、２囲いパネルの向かい合う仕切りプレート受け入れ溝レールへ正面から抜き差し自在に差し込むと共に、
【００４１】
上記中間仕切り壁パネル同志の両木口面に亘って、正面から端部装飾パネルよりも広い一定板幅の中間インデックスパネルを、その両仕切りプレート受け入れ溝レールが閉塞さないように被着一体化して、
【００４２】
複数の物品収納室毎に収納される各種物品の見出しとなる識別標章を、上記中間インデックスパネルにも付与できるように定めたことを特徴とする。
【００４３】
請求項６の構成では、中間仕切り壁パネルと第３囲いパネルとの仕切りプレート受け入れ溝レール同志が向かい合う相互間、同じく中間仕切り壁パネルと第４囲いパネルとの仕切りプレート受け入れ溝レール同志が向かい合う相互間、又は／及び２個１組づつとして隣り合う中間仕切り壁パネル同志の仕切りプレート受け入れ溝レールが向かい合う相互間へ、
【００４４】
上記中間仕切り壁パネルと直角に交叉することとなる別個な中間仕切り壁パネルの少なくとも２個１組を増設すべく、その差し込み凸レールを正面から抜き差し自在に差し込むと共に、
【００４５】
上記別個に増設した中間仕切り壁パネル同志の両木口面に亘っても正面から中間インデックスパネルを、その両仕切りプレート受け入れ溝レールがやはり閉塞されないように被着一体化したことを特徴とする。
【００４６】
請求項７の構成では、一定の開口幅と間隔ピッチを保つ平行な多数の仕切りプレート受け入れ溝レールが、内側板面の奥行方向に沿って列設された互いに同じ向かい合う一対の第１、２囲いパネルと、
【００４７】
その第１、２囲いパネルの仕切りプレート受け入れ溝レールと直交する配列関係になる同じ平行な多数の仕切りプレート受け入れ溝レールが、やはり内側板面の奥行方向に沿って列設された互いに同じ向かい合う一対の第３、４囲いパネルと、
【００４８】
上記第１〜４囲いパネルの仕切りプレート受け入れ溝レールと同じ平行な多数の仕切りプレート受け入れ溝レールが、片側板面の奥行方向に沿って列設され、且つ上記第１〜４囲いパネルの仕切りプレート受け入れ溝レールへ差し込み可能な差し込み凸レールが、両端木口面の奥行方向に沿って列設された少なくとも１個の仕切り壁パネルとを備え、
【００４９】
上記第１〜４囲いパネルと背面パネルとから、正面だけが開放する直方体型又は立方体型の保管庫本体を枠組み一体化し、
【００５０】
上記第１、２囲いパネルのうち、その何れか一方における第２囲いパネルの木口面へ正面から端部装飾パネルを、その第２囲いパネルの仕切りプレート受け入れ溝レールが閉塞されないように被着一体化する一方、
【００５１】
残る他方の第１囲いパネルと隣り合う位置に１個だけ並列することとなる端部仕切り壁パネルの差し込み凸レールを、上記第３、４囲いパネルの向かい合う仕切りプレート受け入れ溝レールへ正面から差し込み固定して、
【００５２】
その端部仕切り壁パネルと第１囲いパネルとの両木口面に亘って、正面から上記端部装飾パネルよりも広い一定板幅の端部インデックスパネルを、その端部仕切り壁パネルの仕切りプレート受け入れ溝レールが閉塞されないように被着一体化すると共に、
【００５３】
上記第２囲いパネルと端部仕切り壁パネルとの仕切りプレート受け入れ溝レール同志が向かい合う相互間に亘って、正面から所要数の仕切りプレートを抜き差し自在に差し込み使用することにより、上記保管庫本体の枠内を複数の物品収納室として仕切り細分し、
【００５４】
その複数の物品収納室毎に収納される各種物品の見出しとなる識別標章を、上記端部インデックスパネルへ付与できるように定めたことを特徴とする。
【００５５】
請求項８の構成では、第１囲いパネルと隣り合う位置に並列することとなる端部仕切り壁パネルの１個のみならず、その端部仕切り壁パネルと第２囲いパネルとの向かい合う相互間に介在することとなる同じ中間仕切り壁パネルの少なくとも２個１組を、その片側板面に開口する仕切りプレート受け入れ溝レール同志が相反する外向きになる並列状態として、その両中間仕切り壁パネルの差し込み凸レールを第３、４囲いパネルの向かい合う仕切りプレート受け入れ溝レールへ正面から抜き差し自在に差し込むと共に、
【００５６】
上記中間仕切り壁パネル同志の両木口面に亘って、正面から端部装飾パネルよりも広い一定板幅の中間インデックスパネルを、その両仕切りプレート受け入れ溝レールが閉塞されないように被着一体化して、
【００５７】
複数の物品収納室毎に収納される各種物品の見出しとなる識別標章を、上記中間インデックスパネルにも付与できるように定めたことを特徴とする。
【００５８】
請求項９の構成では、中間仕切り壁パネルと第２囲いパネルとの仕切りプレート受け入れ溝レール同志が向かい合う相互間、同じく中間仕切り壁パネルと第１囲いパネルとの仕切りプレート受け入れ溝レール同志が向かい合う相互間、又は／及び２個１組づつとして隣り合う中間仕切り壁パネル同志の仕切りプレート受け入れ溝レールが向かい合う相互間へ、
【００５９】
上記中間仕切り壁パネルと直角に交叉することとなる別個な中間仕切り壁パネルの少なくとも２個１組を増設すべく、その差し込み凸レールを正面から抜き差し自在に差し込むと共に、
【００６０】
上記別個に増設した中間仕切り壁パネル同志の両木口面に亘っても正面から中間インデックスパネルを、その両仕切りプレート受け入れ溝レールがやはり閉塞されないように被着一体化したことを特徴とする。
【００６１】
請求項１０の構成では、第１〜４囲いパネルと仕切り壁パネルとが悉く実質的に同じ構成として、その何れも合板やパーティクルボード、ＭＤＦなどの木質基材をメラミン樹脂やその他の合成樹脂製化粧ーシートによりオーバーレイしたパネル本体化粧板と、予じめ仕切りプレート受け入れ溝レールを切り欠き加工した同じ溝付き化粧板とから貼り合わされていることを特徴とする。
【００６２】
請求項１１の構成では、端部インデックスパネルと中間インデックスパネルとを互いに同じ一定板幅のそれとして兼用できるように定めたことを特徴とする。
【００６３】
請求項１２の構成では、仕切りプレートを着色合成樹脂の被膜がラミネートされた合板、又は透明若しくは着色の合成樹脂板として、長方形又は正方形に造形すると共に、
【００６４】
その仕切りプレート受け入れ溝レールへの差し込み方向となる正面側又は背面側の一辺に、操作手の指先挿入切欠を付与したことを特徴とする。
【００６５】
請求項１３の構成では、保管庫本体が据え付け使用される下面に、その据え付け高さの調整可能な接地脚座又は据え付け場所の移動可能な接地キャスターを取り付けたことを特徴とする。
【００６６】
請求項１４の構成では、保管庫本体が据え付け使用される下面に、正面から開閉可能な仕切りプレート用収納ボックスを付属させたことを特徴とする。
【００６７】
請求項１５の構成では、保管庫本体に携帯用又は引出し用の把手を取り付けたことを特徴とする。
【００６８】
請求項１６の構成では、保管庫本体へ枢着した回動扉又は保管庫本体へ抜き差し自在に差し込んだスライドシャッターによって、その正面を開閉できるように定めたことを特徴とする。
【００６９】
更に、請求項１７の構成では保管庫本体の複数を、その仕切り壁パネル同志の配列方向性や仕切りプレート同志の配列方向性が互いに直交することとなるように組み合わせユニット化したことを特徴とする。
【発明の効果】
【００７０】
請求項１、２の構成は図１〜１３に示した本発明の第１実施形態と対応しており、その請求項１の構成によれば、仕切り壁パネル受け入れ溝レールを備えた第１、２囲いパネルの向かい合う一対が互いに同一である一方、仕切りプレート受け入れ溝レールを備えた第３、４囲いパネルの向かい合う一対も互いに同一であるため、これらの一対づつを保管庫本体の構成部材として兼用しつつ、その保管庫本体をバラツキなく高精度な組立状態に枠組み一体化することができる。
【００７１】
又、上記仕切り壁パネル受け入れ溝レールの多数は一定の開口幅と間隔ピッチを保つ平行状態にあるため、その第１、２囲いパネルの向かい合う仕切り壁パネル受け入れ溝レールへ端部仕切り壁パネルを保管庫本体の正面から円滑に、且つ第４囲いパネルと隣り合う位置へ正確な並列状態に差し込み固定でき、その端部仕切り壁パネルと第４囲いパネルとの両木口面に亘って、端部装飾パネルよりも必らず広い一定板幅の端部インデックスパネルを被着一体化し得るのである。
【００７２】
他方、上記仕切りプレート受け入れ溝レールの多数も一定の開口幅と間隔ピッチを保つ平行状態にあり、その第３囲いパネルと上記端部仕切り壁パネルとの向かい合う仕切りプレート受け入れ溝レールへ差し込み使用された仕切り壁パネルによって、保管庫本体の枠内に仕切り区分された物品収納室の片側には、その仕切りプレートと直交する配列関係の上記端部インデックスパネルが必らず隣接することになるため、これに付与する識別標章を見出しとして、その物品収納室毎に収納された各種物品をその収納作業に携った本人のみならず、第三者でも誤まりなく瞬時に取り出せるのである。
【００７３】
更に、保管庫本体は直方体型又は立方体型をなし、しかも第１、２囲いパネルにおける仕切り壁パネル受け入れ溝レールの開口幅と間隔ピッチが、第３、４囲いパネルや端部仕切り壁パネルにおける仕切りプレート受け入れ溝レールのそれらよりも広く相違変化されているため、これと対応する厚肉な端部仕切り壁パネルを差し込み固定して、上記保管庫本体をその端部仕切り壁パネルと隣り合う第４囲いパネルが下面となる据え付け状態に使用すれば、重量のある各種物品を収納したり、多量の各種物品を収納したりした場合でも、その重量に耐える支持強度を得られる効果がある。
【００７４】
特に、請求項２の構成を採用するならば、少なくとも２個１組の中間仕切り壁パネルによる保管庫本体の仕切り位置を、一々測定して割り出し計算する必要がなく、しかもその中間仕切り壁パネルを抜き差し操作することにより、仕切り間隔の広狭調整も便利良く正確に行なえるのであり、このような効果は上記中間仕切り壁パネルにおける設置個数の増加する程、ますます顕著に発揮されることとなる。
【００７５】
上記請求項１、２の何れにあっても、請求項３の構成を採用するならば、化粧板の合成樹脂製化粧シートから表出する木目柄や抽象柄などの各種化粧模様により、保管庫本体の全体に家具調の優美な外観化粧効果を与えることができると共に、その保管庫本体を既設の屋内装備品である机の引出しやタンスなどへ嵌め込み固定するような場合でも、いたづらな重量化を抑制し得る。第３、４囲いパネルと仕切り壁パネルとを兼用することによって、保管庫本体の量産効果も最大限に発揮させることができる。
【００７６】
請求項４、５の構成は図１５に示した第２実施形態と対応しており、又請求項７、８の構成は図１６に示した第３実施形態と対応している。そして、その請求項４や請求項７の構成によれば、第１、２囲いパネルの向かい合う一対や第３、４囲いパネルの向かい合う一対が、各々互いに同一であるばかりでなく、その第１〜４囲いパネルの仕切りプレート受け入れ溝レールと仕切り壁パネルの仕切りプレート受け入れ溝レールとが悉く同一に設定されている一方、これらの仕切りプレート受け入れ溝レールへ互換的に差し込み使用可能な差し込み凸レールが、上記仕切り壁パネルの両端木口面に張り出し列設されているため、保管庫本体を便利良く高精度に組み立てることができ、その量産効果が一層向上する。
【００７７】
特に、請求項５や請求項８の構成を採用するならば、上記効果を達成できることに加えて、保管庫本体の枠内をユーザーの希望や各種物品に応じて、容易に細かく仕切り区分し得る効果もある。
【００７８】
請求項６の構成は図１７、１８に示した第４実施形態と対応しており、又請求項９の構成は図１９、２０に示した第５実施形態と対応している。これらの構成を採用するならば、保管庫本体の枠内を別個に増設される中間仕切り壁パネルの少なくとも２個１組により、垂直方向と水平方向との直交する２方向へ一層細かく仕切り区分することができ、ユーザーの希望とサイズや形状、硬さ、厚みなどの不揃いに変化した各種物品に対する対応性が広がり、使用上の利便性も著しく向上する。
【００７９】
又、請求項１０の構成を採用するならば、上記第２〜５実施形態に示した物品整理保管庫でも、その全体の軽量化や家具調の外観化粧効果を与えることができ、その第１〜４囲いパネルと仕切り壁パネルとを悉く実質的に同じ構成として兼用することにより、保管庫本体の量産効果も顕著に向上させ得るのである。
【００８０】
請求項１１の構成を採用するならば、端部インデックスパネルと中間インデックスパネルとを兼用することもでき、保管庫本体の量産効果がますます向上する。
【００８１】
請求項１２の構成を採用するならば、仕切りプレートの着色によっても物品収納室へ収納される各種物品を識別でき、物品整理保管庫の外観化粧効果を昂め得るほか、その仕切りプレートに付与された指先挿入切欠から挿入する操作手の指先により、各種物品や仕切りプレートを容易に取り出せる効果もある。
【００８２】
請求項１３の構成を採用するならば、その接地脚座により屋内のフロアーや机のテーブル面などへ、安定良く据え付け使用でき、又これに代る接地キャスターにより所謂ワゴン型の物品整理保管庫として、据え付け場所を自由に変え得る効果もある。
【００８３】
請求項１４の構成を採用するならば、保管庫本体の仕切り細分上余剰となった仕切りプレートを紛失するおそれなく、その収納ボックス内へ保管することができ、利便性の向上に役立つ。
【００８４】
請求項１５の構成を採用するならば、その携帯用の把手によって物品整理保管庫を屋外へ持ち出すことも可能となり、又引出し用の把手を取り付けることにより、物品整理保管庫を机やキャビネットなどの引出しとして形作ることもできる。
【００８５】
請求項１６の構成を採用するならば、収納中にある各種物品が塵埃により汚損するおそれを、その保管庫本体の正面開閉用回動扉又はスライドシャッターによって予防できる効果がある。
【００８６】
更に、請求項１７の構成を採用するならば、保管庫本体の複数から組み合わせユニット化された物品整理保管庫として、その仕切りプレート同志や仕切り壁パネル同志の互いに直交する配列方向性により、サイズや形状、硬さ、厚みなどの変化した各種物品を便利良く収納・整理でき、据え付け場所の広さやその他の諸条件に対応し得る効果もある。
【発明を実施するための最良の形態】
【００８７】
以下、図面に基いて本発明の具体的構成を詳述すると、図１〜１３はその本発明に係る物品整理保管庫の第１実施形態を示しており、これでは第１〜４囲いパネル（Ｆ１）（Ｆ２）（Ｆ３）（Ｆ４）の合計４個と背面パネル（Ｆ５）の１個とから正面だけが開放する直方体型又は立方体型に枠組み一体化された保管庫本体（Ａ）の枠内を、後述する垂直の仕切り壁パネルと水平の仕切りプレートによって仕切り細分している。
【００８８】
先ず、保管庫本体（Ａ）を形作る第１、２囲いパネル（Ｆ１）（Ｆ２）について言えば、これらは互いに同じ構成の向かい合う上下一対として、その内側板面に一定の間隔ピッチ（Ｐ１）を保つ平行な多数の仕切り壁パネル受け入れ溝レール（１１）が、上記保管庫本体（Ａ）の奥行方向に沿って列設されている。
【００８９】
茲に、第１、２囲いパネル（Ｆ１）（Ｆ２）の各個は合板やパーティクルボード、ＭＤＦなどの木質基材を、メラミン樹脂などの合成樹脂製化粧シートによりオーバーレイした化粧板（好ましくは商品名：デコラと称するメラミン樹脂化粧板）の２枚物として、図５や図８、９のようにその比較的厚肉なパネル本体化粧板（１２）の片側板面へ、予じめ多数の仕切り壁パネル受け入れ溝レール（１１）が板幅方向に沿って切り欠き加工された比較的薄肉な溝付き化粧板（１３）を貼り合わせ一体化したものであり、その化粧シートに印刷された木目柄や抽象柄などの化粧模様によって、保管庫本体（Ａ）へ家具調の質感に富む優美な外観化粧効果を与え得るようになっている。但し、大型の保管庫本体（Ａ）を形作るような場合には、上記化粧板（１２）（１３）に代る無垢の天然木材を採用して、これに直接仕切り壁パネル受け入れ溝レール（１１）を切り欠き加工しても良い。
【００９０】
図示実施形態での一例となる数値を挙げれば、上記第１、２囲いパネル（Ｆ１）（Ｆ２）におけるパネル本体化粧板（１２）の厚みは約１２mm、溝付き化粧板（１３）の厚みは約５mmであり、その溝付き化粧板（１３）に多数の仕切り壁パネル受け入れ溝レール（１１）が開口幅（Ｓ１）：約１３mm、開口深さ（Ｄ１）：約４mm、間隔ピッチ（Ｐ１）：約２３mmとして切り欠き加工されている。そのため、その仕切り壁パネル受け入れ溝レール（１１）の陥没と交互する多数条の桟（１４）が、約１０mmの一定幅だけ相対的に隆起する結果となっている。
【００９１】
次に、上記保管庫本体（Ａ）を形作る第３、４囲いパネル（Ｆ３）（Ｆ４）は、互いに同じ構成の向かい合う左右一対として、その内側板面に一定の間隔ピッチ（Ｐ２）を保つ平行な多数の仕切りプレート受け入れ溝レール（１５）が、やはり保管庫本体（Ａ）の奥行方向に沿って列設されている。
【００９２】
茲に、第３、４囲いパネル（Ｆ３）（Ｆ４）の各個も上記第１、２囲いパネル（Ｆ１）（Ｆ２）と同様に、合板やパーティクルボード、ＭＤＦなどの木質基材を、メラミン樹脂やその他の合成樹脂製化粧シートによりオーバーレイした化粧板（やはり好ましくは商品名：デコラ）の２枚物として、図５や図１０、１１のようにその比較的厚肉なパネル本体化粧板（１６）の片側板面へ、予じめ多数の仕切りプレート受け入れ溝レール（１５）が板幅方向に沿って切り欠き加工された比較的薄肉な溝付き化粧板（１７）を貼り合わせ一体化したものであるが、大型の保管庫本体（Ａ）を形作るような場合には、上記仕切りプレート受け入れ溝レール（１５）が直接切り欠き加工された無垢の天然木材を採用しても良い。
【００９３】
やはり図示実施形態での一例となる数値を挙げれば、上記第３、４囲いパネル（Ｆ３）（Ｆ４）におけるパネル本体化粧板（１６）と溝付き化粧板（１７）の厚みは、上記第１、２囲いパネル（Ｆ１）（Ｆ２）のそれらと同じ寸法であり、その溝付き化粧板（１７）に多数の仕切りプレート受け入れ溝レール（１５）が開口幅（Ｓ２）：約３mm、開口深さ（Ｄ２）：約４mm、間隔ピッチ（Ｐ２）：約１３mmとして切り欠き加工されている。そのため、その仕切りプレート受け入れ溝レール（１５）の陥没と交互する多数条の桟（１８）が、約１０mmの一定幅だけ相対的に隆起する結果となっている。
【００９４】
尚、先に一言した背面パネル（Ｆ５）は合板やＭＤＦなどの１枚物、無垢の天然木材又はこれらの木質基材をメラミン樹脂などの合成樹脂製化粧シートによりオーバーレイした化粧板（やはり好ましくは商品名：デコラ）の１枚物として、上記第１〜４囲いパネル（Ｆ１）（Ｆ２）（Ｆ３）（Ｆ４）と同じ約１２mmの厚みを有する。
【００９５】
そして、第３、４囲いパネル（Ｆ３）（Ｆ４）は図４、６から明白なように、上記第１、２囲いパネル（Ｆ１）（Ｆ２）よりも短かい奥行寸法（板幅寸法）を備えており、その第１、２囲いパネル（Ｆ１）（Ｆ２）の左右両端付近から向かい合い隆起する上記桟（１４）へ当てがわれた位置決め状態にある第３、４囲いパネル（Ｆ３）（Ｆ４）の一対と背面パネル（Ｆ５）とが、第１、２囲いパネル（Ｆ１）（Ｆ２）により上下方向から挟み付けられ、全体的な直方体型又は立方体型の保管庫本体（Ａ）として枠組み一体化されることになる。
【００９６】
この点、図示の実施形態では保管庫本体（Ａ）の枠組み上、その第１〜４囲いパネル（Ｆ１）（Ｆ２）（Ｆ３）（Ｆ４）と背面パネル（Ｆ５）を、悉く接着剤により貼り付けているが、これに代えて又は加えて、複数のタッピングネジや連結ダボ（図示省略）などにより固着一体化しても良い。
【００９７】
何れにしても、保管庫本体（Ａ）の枠組み状態では第１、２囲いパネル（Ｆ１）（Ｆ２）の仕切り壁パネル受け入れ溝レール（１１）と、第３、４囲いパネル（Ｆ３）（Ｆ４）の仕切りプレート受け入れ溝レール（１５）とが互いに直交した関係の配列方向性となる。しかも、先に例示した数値の比較から明白なように、上記仕切り壁パネル受け入れ溝レール（１１）と仕切りプレート受け入れ溝レール（１５）とは、その開口幅（Ｓ１）（Ｓ２）と間隔ピッチ（Ｐ１）（Ｐ２）について、互いに相違変化している。
【００９８】
（１９）は上記保管庫本体（Ａ）を形作る第３、４囲いパネル（Ｆ３）（Ｆ４）のうち、その何れか一方（図１、２の左側）における第３囲いパネル（Ｆ３）の木口面へ保管庫本体（Ａ）の正面から、その第３囲いパネル（Ｆ３）の仕切りプレート受け入れ溝レール（１５）を閉塞しないように貼り付け一体化された端部装飾パネルであり、その貼り付け状態において上記第１、２囲いパネル（Ｆ１）（Ｆ２）の正面と実質的な面一状態を保つ。
【００９９】
つまり、端部装飾パネル（１９）はこれも合板やパーティクルボード、ＭＤＦなどの木質基材を、メラミン樹脂やその他の合成樹脂製化粧シートによりオーバーレイした化粧板（好ましくは商品名：デコラ）の１枚物から成り、特にその板幅（Ｗ１）が上記第３囲いパネル（Ｆ３）におけるパネル本体化粧板（１６）の厚みと同じ約１２mm×約１２mm（奥行）の四角柱状に造形されているのである。
【０１００】
更に、（２０）（２１）（２２）は上記第１、２囲いパネル（Ｆ１）（Ｆ２）の向かい合う仕切り壁パネル受け入れ溝レール（１１）へ、保管庫本体（Ａ）の正面から差し込まれることになる垂直な仕切り壁パネルの複数（図示の第１実施形態では合計３個）であり、その各個の片側板面に一定の開口幅（Ｓ３）と間隔ピッチ（Ｐ３）を保つ平行な多数の仕切りプレート受け入れ溝レール（２３）が、上記保管庫本体（Ａ）の奥行方向に沿って列設されている。（Ｄ３）はその開口深さを示している。
【０１０１】
茲に、仕切り壁パネル（２０）（２１）（２２）の各個は上記第３、４囲いパネル（Ｆ３）（Ｆ４）と実質的に同じ構成を備えており、やはり合板やパーティクルボード、ＭＤＦなどの木質基材を、メラミン樹脂やその他の合成樹脂製化粧シートによりオーバーレイした化粧板（好ましくは商品名：デコラ）の２枚物として、上記第３、４囲いパネル（Ｆ３）（Ｆ４）と共通に示した図１０、１１から明白なように、その厚肉なパネル本体化粧板（２４）の片側板面へ、予じめ多数の仕切りプレート受け入れ溝レール（２３）が板幅方向に沿って切り欠き加工された薄肉な溝付き化粧板（２５）を貼り合わせ一体化したものである。但し、大型の保管庫本体（Ａ）を形作るような場合には、上記仕切りプレート受け入れ溝レール（２３）が直接切り欠き加工された無垢の天然木材を採用しても良い。
【０１０２】
尚、図示の実施形態では第１〜４囲いパネル（Ｆ１）（Ｆ２）（Ｆ３）（Ｆ４）と仕切り壁パネル（２０）（２１）（２２）の作成上、その何れもパネル本体化粧板（１２）（１６）（２４）へ溝付き化粧板（１３）（１７）（２５）を貼り合わせ一体化しているが、上記桟（１４）（１８）の各個をパネル本体化粧板（１２）（１６）（２４）へ固着することにより、その隆起と相対的に陥没する仕切り壁パネル受け入れ溝レール（１１）や仕切りプレート受け入れ溝レール（１５）（２３）を列設してもさしつかえない。
【０１０３】
上記複数用意された仕切り壁パネル（２０）（２１）（２２）のうち、その１個は第３、４囲いパネル（Ｆ３）（Ｆ４）における残る他方（図１、２の右側）の第４囲いパネル（Ｆ４）と隣り合う位置に並列する垂直な端部仕切り壁パネル（２０）として、上記第１、２囲いパネル（Ｆ１）（Ｆ２）における第４囲いパネル（Ｆ４）と最も接近した端部での向かい合う仕切り壁パネル受け入れ溝レール（１１）へ、上記保管庫本体（Ａ）の正面から差し込み固定されることになる。
【０１０４】
そして、残る２個の仕切り壁パネル（２１）（２２）はその端部仕切り壁パネル（２０）と上記第３囲いパネル（Ｆ３）との向かい合う相互間に介在する垂直な中間仕切り壁パネル（２１）（２２）としての１組をなし、その２個１組の仕切りプレート受け入れ溝レール（２３）同志が図１、５のような相反する外向きになる並列状態として、第１、２囲いパネル（Ｆ１）（Ｆ２）の向かい合う仕切り壁パネル受け入れ溝レール（１１）へ、やはり保管庫本体（Ａ）の正面から抜き差し自在に差し込まれることにより、その保管庫本体（Ａ）の枠内を２列に仕切り区分するようになっている。
【０１０５】
但し、上記２個１組の中間仕切り壁パネル（２１）（２２）はその差し込み使用を省略しても良く、逆に２個１組づつの中間仕切り壁パネル（２１）（２２）を増設して、保管庫本体（Ａ）の枠内を２列以上に細かく仕切り区分することもあり得る。
【０１０６】
（２６）は上記端部仕切り壁パネル（２０）と第４囲いパネル（Ｆ４）との両木口面に亘って保管庫本体（Ａ）の正面から、その端部仕切り壁パネル（２０）の仕切りプレート受け入れ溝レール（２３）を閉塞しないように貼り付け一体化された端部インデックスパネル、（２７）は上記２個１組をなす中間仕切り壁パネル（２１）（２２）同志の両木口面に亘ってやはり保管庫本体（Ａ）の正面から、その両仕切りプレート受け入れ溝レール（２３）を閉塞しないように貼り付け一体化された中間インデックスパネルである。
【０１０７】
茲に、端部インデックスパネル（２６）と中間インデックスパネル（２７）は上記端部装飾パネル（１９）と同様に、これも合板やパーティクルボード、ＭＤＦなどの木質基材を、メラミン樹脂やその他の合成樹脂製化粧シートによりオーバーレイした化粧板（好ましくは商品名：デコラ）の１枚物から成り、その貼り付け状態ではやはり第１、２囲いパネル（Ｆ１）（Ｆ２）の正面と実質的な面一状態に整合するが、これらの板幅（Ｗ２）（Ｗ３）は上記端部装飾パネル（１９）の板幅（Ｗ１）よりも広い寸法である。
【０１０８】
この点、図示の実施形態では上記端部仕切り壁パネル（２０）と第４囲いパネル（Ｆ４）との隣り合う相互間隔（Ｘ１）と、２個１組として並列する中間仕切り壁パネル（２１）（２２）同志の隣り合う相互間隔（Ｘ２）とが、何れも第１、２囲いパネル（Ｆ１）（Ｆ２）における上記仕切り壁パネル受け入れ溝レール（１１）の１ピッチ分として、これらの相互間へ板幅（Ｗ２）（Ｗ３）が互いに等しい約３５mmの端部インデックスパネル（２６）と中間インデックスパネル（２７）を、保管庫本体（Ａ）の正面から各々貼り付け一体化しており、その端部インデックスパネル（２６）と中間インデックスパネル（２７）とを兼用できるようになっている。そのインデックスパネル（２６）（２７）の奥行は上記端部装飾パネル（１９）のそれと同じく、何れも約１２mmである。
【０１０９】
但し、大型の保管庫本体（Ａ）を形作るような場合には、上記相互間隔（Ｘ１）（Ｘ２）を仕切り壁パネル受け入れ溝レール（１１）の２ピッチ分以上として、その端部仕切り壁パネル（２０）と第４囲いパネル（Ｆ４）との両木口面や、中間仕切り壁パネル（２１）（２２）同志の両木口面に亘って、互いに等しく一層広い一定板幅（Ｗ２）（Ｗ３）（例えば約５８mm）の端部インデックスパネル（２６）や中間インデックスパネル（２７）を各々貼り付けても良い。そうすれば、そのインデックスパネル（２６）（２７）に対する後述する識別標章の付与面積を、物品収納室の大きさに応じて広く確保することができる。
【０１１０】
更に、上記端部インデックスパネル（２６）を端部仕切り壁パネル（２０）と第４囲いパネル（Ｆ４）との両木口面に亘って予じめ貼り付けておく一方、中間インデックスパネル（２７）を上記中間仕切り壁パネル（２１）（２２）同志の両木口面に亘って貼り付けておき、その端部インデックスパネル（２６）を第１、２囲いパネル（Ｆ１）（Ｆ２）による上下方向からの挟み付け状態として、保管庫本体（Ａ）を枠組み一体化した後に、中間インデックスパネル（２７）の両中間仕切り壁パネル（２１）（２２）を第１、２囲いパネル（Ｆ１）（Ｆ２）の向かい合う仕切り壁パネル受け入れ溝レール（１１）へ、その保管庫本体（Ａ）の正面から差し込んでも良く、これらの組立順序は問わない。
【０１１１】
そして、上記２個１組として並列する中間仕切り壁パネル（２１）（２２）のうち、その一方の中間仕切り壁パネル（２２）と端部仕切り壁パネル（２０）との仕切りプレート受け入れ溝レール（２３）同志が向かい合う左右相互間や、残る他方の中間仕切り壁パネル（２１）と第３囲いパネル（Ｆ３）との仕切りプレート受け入れ溝レール（２３）（１５）同志が向かい合う左右相互間に亘って、ユーザーが保管庫本体（Ａ）の正面から希望する個数の水平な仕切りプレート（２８）を抜き差し自在に差し込み使用することにより、上記保管庫本体（Ａ）の枠内を複数段の物品収納室（Ｒ）として仕切り細分し、その内部へ冒頭に述べた各種物品を収納するのである。
【０１１２】
そうすれば、物品収納室（Ｒ）を仕切り細分する仕切りプレート（２８）に対して、これと直交する配列関係の端部インデックスパネル（２６）や中間インデックスパネル（２７）が、必らずその物品収納室（Ｒ）の片側（図示の実施形態では右側）に隣接する結果となり、しかもその端部インデックスパネル（２６）と中間インデックスパネル（２７）の板幅（Ｗ２）（Ｗ３）は広く確保されているため、上記物品収納室（Ｒ）に収納される各種物品の見出しとなる識別標章（２９）を、そのインデックスパネル（２６）（２７）へ付与することができ、これに従って各種物品をその収納作業に携った本人のみならず、本人以外の第三者でも瞬時に誤まりなく取り出せるのである。
【０１１３】
茲に、仕切りプレート（２８）は図１２、１３に抽出して示す如く、その片側板面又は両側板面に着色合成樹脂の被膜（３０）をラミネートした合板や、アクリル樹脂などの透明な合成樹脂板又は着色が施された合成樹脂板から、上記第１、２囲いパネル（Ｆ１）（Ｆ２）に対応する奥行寸法と、上記仕切りプレート受け入れ溝レール（１５）（２３）同志の向かい合う相互間隔に対応する板幅寸法並びにその溝レール（１５）（２３）に対応する一定厚み（約２．５mm）とを備えた長方形又は正方形として、その各種サイズが予じめ作成準備されており、ユーザーにおいて取捨選択使用されることとなる。
【０１１４】
その場合、その仕切りプレート（２８）の差し込み方向となる正面側又は背面側の一辺には、操作手の指先挿入切欠（３０）を円弧状に付与しておくことが好ましい。ここから挿入した操作手によって、その仕切りプレート（２８）や各種物品の取り出しを容易に行なえるからである。又、上記合板の複数を図１４のように貼り合わせたり、合成樹脂板を厚肉化したりして、各種物品の重量に耐える支持強度を与えることも可能である。
【０１１５】
更に、上記識別標章（２９）とは物品収納室（Ｒ）毎に収納・整理される各種物品の識別用となる文字、図形、記号、色彩又はこれらの結合を意味し、例えば各種物品の固有名や使用者の氏名、使用時期、送・受信の相手先、顧客名、日付などとして具体的に表示されることとなる。又、これらを上記インデックスパネル（２６）（２７）へ直接筆記する方法のみならず、これに代るテープやラベルなどの表示媒体を貼り付ける方法、インデックスパネル（２６）（２７）に付属設置した磁性プレートへ、マグネットラベルを吸着させる方法なども広く採用することができる。
【０１１６】
次に、図１５と図１６は先の図３に対応する本発明の第２、３実施形態を示しており、これらの物品整理保管庫が上記第１実施形態と異なる構成について説明すると、下記の通りである。
【０１１７】
即ち、図１〜１３の第１実施形態では第１、２囲いパネル（Ｆ１）（Ｆ２）における仕切り壁パネル受け入れ溝レール（１１）の開口幅（Ｓ１）と間隔ピッチ（Ｐ１）が、第３、４囲いパネル（Ｆ３）（Ｆ４）における仕切りプレート受け入れ溝レール（１５）の開口幅（Ｓ２）と間隔ピッチ（Ｐ２）や、仕切り壁パネル（２０）（２１）（２２）における同じ仕切りプレート受け入れ溝レール（２３）の開口幅（Ｓ３）と間隔ピッチ（Ｐ３）よりも広い寸法として相違変化されている。
【０１１８】
そして、第１、２囲いパネル（Ｆ１）（Ｆ２）の仕切り壁パネル受け入れ溝レール（１１）へ、その広い開口幅（Ｓ１）と対応する厚肉な仕切り壁パネル（２０）（２１）（２２）のパネル本体化粧板（２４）がその厚みを保ったままで差し込まれるようになっている一方、第３、４囲いパネル（Ｆ３）（Ｆ４）と仕切り壁パネル（２０）（２１）（２２）の仕切りプレート受け入れ溝レール（１５）（２３）へ、その狭い開口幅（Ｓ２）（Ｓ３）と対応する薄肉な仕切りプレート（２８）が差し込まれるようになっており、その互いに区別された構成を採用している。
【０１１９】
これに比して、図１５の第２実施形態と図１６の第３実施形態では第１、２囲いパネル（Ｆ１）（Ｆ２）へ、上記第１実施形態の仕切り壁パネル受け入れ溝レール（１１）に代る仕切りプレート受け入れ溝レール（３２）を列設している。しかも、その仕切りプレート受け入れ溝レール（３２）の開口幅（Ｓ４）と開口深さ（Ｄ４）並びに間隔ピッチ（Ｐ４）が、第３、４囲いパネル（Ｆ３）（Ｆ４）の仕切りプレート受け入れ溝レール（１５）と仕切り壁パネル（２０）（２１）（２２）の仕切りプレート受け入れ溝レール（２３）におけるそれらと悉く同じ寸法に設定されている。
【０１２０】
つまり、図示実施形態の一例となる数値を挙げれば、上記仕切りプレート受け入れ溝レール（１５）（２３）（３２）の開口幅（Ｓ２）（Ｓ３）（Ｓ４）は約３mm、開口深さ（Ｄ２）（Ｄ３）（Ｄ４）は約４mm、間隔ピッチ（Ｐ２）（Ｐ３）（Ｐ４）は約１８mmである。
【０１２１】
他方、上記仕切り壁パネル（２０）（２１）（２２）を形作るパネル本体化粧板（２４）の両端木口面からは、仕切りプレート（２８）と同じ厚み（先に例示した約２．５mm）を備えた差し込み凸レール（３３）が、その仕切り壁パネル（２０）（２１）（２２）の奥行方向に沿って張り出し列設されており、これを仕切りプレート（２８）と区別することなく、上記第１〜４囲いパネル（Ｆ１）（Ｆ２）（Ｆ３）（Ｆ４）の仕切りプレート受け入れ溝レール（３２）（１５）へ互換的に差し込み使用できるようになっている。
【０１２２】
図１５に示した第２実施形態の場合、上記第１実施形態の構成に準じて、第４囲いパネル（Ｆ４）と隣り合う位置に並列する垂直な端部仕切り壁パネル（２０）の１個のみならず、その端部仕切り壁パネル（２０）と第３囲いパネル（Ｆ３）との向かい合う左右相互間に介在する垂直な中間仕切り壁パネル（２１）（２２）の少なくとも２個１組における上記差し込み凸レール（３３）を、第１、２囲いパネル（Ｆ１）（Ｆ２）の向かい合う仕切りプレート受け入れ溝レール（３２）へ保管庫本体（Ａ）の正面から差し込んでいる。
【０１２３】
そして、上記端部仕切り壁パネル（２０）と第４囲いパネル（Ｆ４）との両木口面に亘って、端部インデックスパネル（２６）を正面から貼り付ける一方、上記中間仕切り壁パネル（２１）（２２）同志の両木口面に亘って、中間インデックスパネル（２７）をやはり正面から貼り付けており、そのインデックスパネル（２６）（２７）へ各種物品の見出しとなる識別標章（２９）を付与できるようになっている。
【０１２４】
又、図１６に示した第３実施形態の場合、第１囲いパネル（Ｆ１）と隣り合う位置に並列する水平な端部仕切り壁パネル（２０）の１個のみならず、その端部仕切り壁パネル（２０）と第２囲いパネル（Ｆ２）との向かい合う上下相互間に介在する水平な中間仕切り壁パネル（２１）（２２）の少なくとも２個１組における上記差し込み凸レール（３３）を、第３、４囲いパネル（Ｆ３）（Ｆ４）の向かい合う仕切りプレート受け入れ溝レール（１５）へ保管庫本体（Ａ）の正面から差し込んでいる。
【０１２５】
そして、上記端部仕切り壁パネル（２０）と第１囲いパネル（Ｆ１）との両木口面に亘っては端部インデックスパネル（２６）を、上記中間仕切り壁パネル（２１）（２２）同志の両木口面に亘っては中間インデックスパネル（２７）を、その何れも保管庫本体（Ａ）の正面から貼り付けており、これらへ各種物品の見出しとなる識別標章（２９）を付与できるように定めている。
【０１２６】
上記第１〜３実施形態の構成では、何れも仕切りプレート（２８）の配列方向性として、その仕切りプレート受け入れ溝レール（１５）（２３）（３２）との相関々係上、水平方向のみ又は垂直方向のみの一方向に限られているが、特に第２、３実施形態の場合上記した通り、第１〜４囲いパネル（Ｆ１）（Ｆ２）（Ｆ３）（Ｆ４）と複数の仕切り壁パネル（２０）（２１）（２２）には悉く同じ開口幅（Ｓ２）（Ｓ３）（Ｓ４）と間隔ピッチ（Ｐ２）（Ｐ３）（Ｐ４）の仕切りプレート受け入れ溝レール（１５）（２３）（３２）が列設されている一方、仕切り壁パネル（２０）（２１）（２２）の両端木口面には仕切りプレート（２８）と互換して、上記仕切りプレート受け入れ溝レール（１５）（２３）（３２）へ差し込み使用可能な差し込み凸レール（３３）が対応的に張り出されている。
【０１２７】
そのため、上記第２、３実施形態の構成に基き、これから言わば発展させた保管庫本体（Ａ）の仕切り細分パターンとして、図１７、１８の第４実施形態に示す如く、端部仕切り壁パネル（２０）と端部インデックスパネル（２６）との背丈（長さ）を、第４囲いパネル（Ｆ４）のそれよりも適当に短かく寸法化して、その第４囲いパネル（Ｆ４）と垂直な中間仕切り壁パネル（２１）（２２）との向かい合う左右相互間や、その垂直な中間仕切り壁パネル（２１）（２２）と第３囲いパネル（Ｆ３）との向かい合う左右相互間又は／及び２個１組づつとして隣り合う垂直な中間仕切り壁パネル（２１）（２２）同志の左右相互間へ、少なくとも２個１組の水平な中間仕切り壁パネル（２１ａ）（２２ａ）を増設状態に差し込み介在させて、その別個に増設された水平な中間仕切り壁パネル（２１ａ）（２２ａ）と上記垂直な中間仕切り壁パネル（２１）（２２）とが直角に交叉する配列により、保管庫本体（Ａ）の枠内を一層細かく仕切り区分することもできる。
【０１２８】
茲に、図示実施形態の場合垂直な中間仕切り壁パネル（２１）（２２）の差し込み凸レール（３３）は、第１、２囲いパネル（Ｆ１）（Ｆ２）の向かい合う仕切りプレート受け入れ溝レール（３２）へ保管庫本体（Ａ）の正面から差し込まれた状態にある。そして、これと別個に増設された水平な中間仕切り壁パネル（２１ａ）（２２ａ）の差し込み凸レール（３３）が、その垂直な中間仕切り壁パネル（２１）（２２）と第４囲いパネル（Ｆ４）との向かい合う仕切りプレート受け入れ溝レール（２３）（１５）へ差し込まれた状態にあって、端部仕切り壁パネル（２０）の差し込み凸レール（３３）がその水平な中間仕切り壁パネル（２１ａ）（２２ａ）と第２囲いパネル（Ｆ２）との向かい合う仕切りプレート受け入れ溝レール（２３）（３２）へ差し込まれた状態にあり、その結果として仕切りプレート（２８）は垂直方向と水平方向との２方向へ配列されている。
【０１２９】
又、図１９、２０の第５実施形態から明白なように、端部仕切り壁パネル（２０）と端部インデックスパネル（２６）との背丈（長さ）を、やはり第４囲いパネル（Ｆ４）のそれよりも適当に短かく寸法化して、第２囲いパネル（Ｆ２）と水平な中間仕切り壁パネル（２１）（２２）との向かい合う上下相互間や、その水平な中間仕切り壁パネル（２１）（２２）と第１囲いパネル（Ｆ１）との向かい合う上下相互間又は／及び２個１組づつとして隣り合う水平な中間仕切り壁パネル（２１）（２２）同志の上下相互間へ、少なくとも２個１組の垂直な中間仕切り壁パネル（２１ｂ）（２２ｂ）を増設状態に差し込み介在させて、その別個に増設された垂直な中間仕切り壁パネル（２１ｂ）（２２ｂ）と上記水平な中間仕切り壁パネル（２１）（２２）とがやはり直角に交叉する配列により、上記保管庫本体（Ａ）の枠内を一層細かく仕切り区分することも可能である。
【０１３０】
茲に、図示実施形態の場合水平な中間仕切り壁パネル（２１）（２２）の差し込み凸レール（３３）は、第３、４囲いパネル（Ｆ３）（Ｆ４）の向かい合う仕切りプレート受け入れ溝レール（１５）へやはり保管庫本体（Ａ）の正面から差し込まれた状態にある。そして、これとの別個に増設された垂直な中間仕切り壁パネル（２１ｂ）（２２ｂ）の差し込み凸レール（３３）と端部仕切り壁パネル（２０）の差し込み凸レール（３３）とが、何れも上記水平な中間仕切り壁パネル（２１）（２２）と第２囲いパネル（Ｆ２）との向かい合う仕切りプレート受け入れ溝レール（２３）（３２）へ差し込まれた状態にあり、やはり仕切りプレート（２８）は垂直方向と水平方向との２方向へ配列される結果になっている。
【０１３１】
尚、図１７、１８の別個に増設される水平な中間仕切り壁パネル（２１ａ）（２２ａ）が、これと交叉する垂直な中間仕切り壁パネル（２１）（２２）と同じ構成を備えていることや、図１９、２０の別個に増設される垂直な中間仕切り壁パネル（２１ｂ）（２２ｂ）が、これと交叉する水平な中間仕切り壁パネル（２１）（２２）と同じ構成を備えていることは勿論であり、これらの別個な水平の中間仕切り壁パネル（２１ａ）（２２ａ）や別個な垂直の中間仕切り壁パネル（２１ｂ）（２２ｂ）にも、各々中間インデックスパネル（２７）が貼り付けられることとなる。
【０１３２】
そして、このような図１７〜２０の第４、５実施形態の構成でも上記第１〜３実施形態と同じく、物品収納室（Ｒ）を仕切り細分する仕切りプレート（２８）に対しては、これと直交する配列関係の端部インデックスパネル（２６）や中間インデックスパネル（２７）が、その物品収納室（Ｒ）の必らず片側（左右何れか一方又は上下何れか一方）に隣接することとなる結果、やはりこれに付与する識別標章（２９）を見出しとして、上記物品収納室（Ｒ）毎に収納・整理されている各種物品をすばやく正確に取り出すことができる。
【０１３３】
特に、上記第４、５実施形態の構成によれば、仕切りプレート（２８）が保管庫本体（Ａ）の枠内において、垂直方向と水平方向との２方向へ配列されることになるため、ユーザーにとって仕切りプレート（２８）をいたづらに繁しく差し替え操作する必要なく、サイズや形状、硬さ、厚みなどの多様に変化した各種物品を容易に効率良く収納・整理でき、その各種物品に対する対応性と使用上の利便性が向上する。
【０１３４】
更に、上記第２〜５実施形態の構成を採用するならば、第１〜４囲いパネル（Ｆ１）（Ｆ２）（Ｆ３）（Ｆ４）と端部仕切り壁パネル（２０）並びに中間仕切り壁パネル（２１）（２２）（２１ａ）（２２ａ）（２１ｂ）（２２ｂ）を悉く同じ物として、その何れも合板やパーティクルボード、ＭＤＦなどの木質基材をメラミン樹脂やその他の合成樹脂製化粧シートによりオーバーレイした厚肉なパネル本体化粧板（１２）（１６）（２４）と、予じめ仕切りプレート受け入れ溝レール（１５）（２３）（３２）が切り欠き加工された同じ薄肉な溝付き化粧板（１３）（１７）（２５）とから貼り合わせ一体化でき、保管庫本体（Ａ）の量産効果を最大限に発揮させ得る利点もある。
【０１３５】
尚、第２〜５実施形態におけるその他の構成は上記第１実施形態と実質的に同一であるため、その図１５〜２０に図１〜１３との対応符号を記入するにとどめて、その詳細な説明を省略する。
【０１３６】
本発明の物品整理保管庫では上記第１〜５実施形態の何れにあっても、その２個１組づつの中間仕切り壁パネル（２１）（２２）（２１ａ）（２２ａ）（２１ｂ）（２２ｂ）や仕切りプレート（２８）がユーザーでの抜き差し自在に差し込み使用される関係上、あくまでも保管庫本体（Ａ）における仕切り細分パターンの一例を示しているに過ぎない。
【０１３７】
つまり、ユーザーとしては上記中間仕切り壁パネル（２１）（２２）（２１ａ）（２２ａ）（２１ｂ）（２２ｂ）や仕切りプレート（２８）の差し替え操作によって、保管庫本体（Ａ）の枠内を各種物品のサイズや形状、硬さ、厚み、収納量などに応じた希望する適当な大きさの物品収納室（Ｒ）に仕切り細分でき、その物品収納室（Ｒ）毎に収納・整理された各種物品の見出しとなる識別標章（２９）を、上記端部インデックスパネル（２６）や中間インデックスパネル（２７）へ付与し、これを正面から通覧することにより、便利良く使用し得るのである。
【０１３８】
図２１〜３０は上記保管庫本体（Ａ）の単独仕様として新設された物品整理保管庫の各種を例示しており、その保管庫本体（Ａ）が直方体型又は立方体型に枠組み一体化されているため、これを図２１のような上記第１、２囲いパネル（Ｆ１）（Ｆ２）の何れか一方が下面となる据え付け状態のみならず、その図２１と図２４との対比から窮知されるように、上記第３、４囲いパネル（Ｆ３）（Ｆ４）の何れか一方が下面となる９０度方向変換した据え付け状態や、図２５のような上記背面パネル（Ｆ５）が下面となり、正面が上向きに開放する据え付け状態としても使用することができる。
【０１３９】
このような各種単独仕様の何れにあっても、その保管庫本体（Ａ）の下面となる少なくとも４隅部には、据え付け高さの調整可能な接地脚座（３４）又は据え付け場所の移動可能な接地キャスター（３５）を取り付けることにより、物品整理保管庫として仕上げることが好ましい。
【０１４０】
その際、上記保管庫本体（Ａ）の据え付け下面には、図２４、２５のような別個の言わばスペーサーとなる揚げ底板（３６）を介挿設置して、その最下段の物品収納室（Ｒ）に対する各種物品の出し入れ安楽化を図ったり、同じく保管庫本体（Ａ）の上面には図２１、２４のような別個の天板（３７）を貼り合わせて、その物品整理保管庫の外観化粧効果を昂めたりしても良い。
【０１４１】
特に、物品整理保管庫の単独仕様としては、その保管庫本体（Ａ）の据え付け下面へ図２１〜２３のような仕切りプレート用収納ボックス（３８）を付属一体化させて、上記揚げ底板（３６）としての機能を発揮させると同時に、ユーザーが保管庫本体（Ａ）の仕切り細分上余剰となった仕切りプレート（２８）を紛失しないように、これを収納ボックス（３８）の内部へ保管しておくことができるように定めることが効果的である。
【０１４２】
その場合、上記接地脚座（３４）や接地キャスター（３５）は仕切りプレート用収納ボックス（３８）の下面へ同様に取り付ければ良い。（３９）は上記仕切りプレート用収納ボックス（３８）へ蝶番（４０）を介して枢着された正面開閉扉、（４１）は正面開閉扉（３９）の閉止用磁性プレート、（４２）はこれを吸着するためのマグネットキャッチャーであり、上記収納ボックス（３８）の正面補強桟（４３）に取り付け保持されている。
【０１４３】
又、保管庫本体（Ａ）の第１、２囲いパネル（Ｆ１）（Ｆ２）又は第３、４囲いパネル（Ｆ３）（Ｆ４）へ、図２６のような回動扉（４４）を蝶番（４５）によって枢着したり、図２７、２８のように第１、２囲いパネル（Ｆ１）（Ｆ２）又は第３、４囲いパネル（Ｆ３）（Ｆ４）を正面側へ若干張り出し延長させ、その張り出し延長部に切り欠いたスリット（４６）を通じて、上方又は横方向からスライドシャッター（４７）を抜き差し自在に差し込んだりして、上記保管庫本体（Ａ）の正面を開閉できるように定めても良い。（４８）はそのスライドシャッター（４７）の受け止め用凹溝である。
【０１４４】
そして、上記揚げ底板（３６）や天板（３７）、仕切りプレート用収納ボックス（３８）、その正面開閉扉（３９）も、保管庫本体（Ａ）の端部インデックスパネル（２６）や中間インデックスパネル（２７）などと同じ好ましくはメラミン樹脂化粧板（商品名：デコラ）の１枚物として、物品整理保管庫の全体に優美な家具調の外観化粧効果を与える。尚、上記保管庫本体（Ａ）の正面を開閉する回動扉（４４）や、これに代るスライドシャッター（４７）としては、透明な合成樹脂板やガラス板を採用することが望ましい。
【０１４５】
このような物品整理保管庫はデスクトップ型として、机やカウンター、下駄箱、棚板などのテーブル面へ据え置いたり、ワゴン型や固定型として屋内のフロアーへ据え付けたりして使用できるほか、図２９のように保管庫本体（Ａ）の第１、２囲いパネル（Ｆ１）（Ｆ２）又は第３、４囲いパネル（Ｆ３）（Ｆ４）へ携帯用の把手（４９）を、好ましくは起伏的な回動操作自在として取り付けることにより、例えばカタログや伝票などをこれらに記載された商品の販売営業上、自動車に搭載して屋外へ持ち運ぶことも可能である。
【０１４６】
又、保管庫本体（Ａ）のそれ自身を図３０のように、例えば机やキャビネットの引出しとして形作り、その引出し用の把手（５０）をやはり第１、２囲いパネル（Ｆ１）（Ｆ２）の何れか一方又は第３、４囲いパネル（Ｆ３）（Ｆ４）の何れか一方へ取り付けて使うこともできる。（５１）はその机やキャビネットに対する引出しのスライドガイドレールを示している。
【０１４７】
更に、上記保管庫本体（Ａ）は直方体型又は立方体型に枠組み一体化されているため、図２１〜３０に示したような単独仕様としての各種物品整理保管庫のみならず、その保管庫本体（Ａ）の互いに同じ大きさ又は異なる大きさの複数を組み合わせユニット化した複合仕様の物品整理保管庫として新設したり、又単独仕様の物品整理保管庫又は組み合わせユニット化された複合仕様のそれとして、既設の屋内装備品である各種収納棚を初め、クローゼットや押入れ、キャビネット、机の引出し、タンス、その他の開口枠（Ｍ）内へ、言わば後付け式に嵌め込み固定したりすることも可能である。
【０１４８】
即ち、その複合仕様の各所物品整理保管庫を例示した図３１〜３５のうち、図３１の物品整理保管庫では複数の保管庫本体（Ａ）を、その開放する正面が悉く横向き（前向き）となる積み重ね状態と横並び状態に組み合わせユニット化して、その全体をこれとの対応的に新設した外装化粧枠（５２）により、隣り合う相互間での離脱不能に包囲固定している。但し、その複数の保管庫本体（Ａ）が積み重ね状態のみや、全体的な１段の横並び状態のみとして組み合わせユニット化されることも勿論あり得る。
【０１４９】
又、別な図３２に示した物品整理保管庫では、互いに同じ大きさの立方体型に枠組み一体化された合計４個の保管庫本体（Ａ）を、その開放する正面が交互に横向きとなる全体的な段の横並び状態に組み合わせユニット化して、その異なる横方向（前後方向と左右方向）から保管庫本体（Ａ）の物品収納室（Ｒ）へ、各種物品の出し入れ操作を行なえるように定めている。
【０１５０】
このような複合仕様として新設された物品整理保管庫は、屋内のフロアーや大きなテーブル面の中央部へ据え付け使用することができる。但し、上記保管庫本体（Ａ）の合計４個は積み重ね状態に組み合わせユニット化することもできる。（５３）はその物品整理保管庫としての全体を挟み付け固定する上下一対の外装化粧板である。
【０１５１】
更に別な図３３に示した物品整理保管庫では、その保管庫本体（Ａ）の互いに同じ大きさ又は異なる大きさの複数を、その開放する正面が悉く上向く１段の横並び状態に組み合わせユニット化して、その全体をやはり対応的に新設した外装化粧枠（５２）により、隣り合う相互間での離脱不能に包囲固定している。
【０１５２】
このような複合仕様の各種物品整理保管庫として新設する場合には、図３１〜３３から看取できるように、その仕切り壁パネル（２１）（２２）（２１ａ）（２２ａ）（２１ｂ）（２２ｂ）同志の配列方向性や仕切りプレート（２８）同志の配列方向性が、隣り合う保管庫本体（Ａ）での互いに直交することとなるように、組み合わせユニット化することが好ましい。サイズや形状、硬さ、厚みなどの多様に変化した各種物品を収納・整理しやすく、その各種物品に対する対応性が広がり、使用上の利便性も昂まるからである。
【０１５３】
先には、本発明の物品整理保管庫をその保管庫本体（Ａ）の単独仕様や、複数の保管庫本体（Ａ）から組み合わせユニット化された複合仕様として、新設する場合の構成について説示したが、図３１、３３の上記外装化粧枠（５２）や図３２の外装化粧板（５３）を既設の屋内装備品である各種収納棚やクローゼット、押入れ、キャビネット、机の引出し、タンスなどの開口枠（Ｍ）に相当するものと看做して、その開口枠（Ｍ）の内部へ上記物品整理保管庫の保管庫本体（Ａ）を図３４、３５のように、後付け式に嵌め込み固定することもできる。
【０１５４】
つまり、その物品整理保管庫の保管庫本体（Ａ）を後付け式として、例えば既設の屋内装備品である収納棚の開口枠（Ｍ）へ嵌め込み固定するに当っては、先ず上記保管庫本体（Ａ）の第１〜４囲いパネル（Ｆ１）（Ｆ２）（Ｆ３）（Ｆ４）をその開口枠（Ｍ）の内部へ、図外の両面接着テープやタッピングネジなどにより固定し、次いで第３、４囲いパネル（Ｆ３）（Ｆ４）の左右何れか一方と隣り合う位置へ、垂直な端部仕切り壁パネル（２０）を正面から差し込んで、第１、２囲いパネル（Ｆ１）（Ｆ２）や背面パネル（Ｆ５）へやはり両面接着テープやタッピングネジなどによって固定する。
【０１５５】
それから端部仕切り壁パネル（２０）の仕切りプレート受け入れ溝レール（２３）へ、少なくとも上下一対の仕切りプレート（２８）を正面から差し込むことにより、上記端部仕切り壁パネル（２０）と後続する中間仕切り壁パネル（２１）（２２）との向かい合う左右相互間隔を一定に確保した上、その確保した位置へ垂直な中間仕切り壁パネル（２１）（２２）の２個１組を正面から差し込み、最後に端部インデックスパネル（２６）と中間インデックスパネル（２７）をやはり正面から貼り付ければ良い。
【０１５６】
上記中間仕切り壁パネル（２１）（２２）が２個１組づつとして、その設置個数の増加する場合には、上記組立作業を第３、４囲いパネル（Ｆ３）（Ｆ４）の残る他方に至るまで繰り返し行なって、その最後に万一上記開口枠（Ｍ）との相互間に空隙が発生したならば、その空隙へ木質材などのパッキング（図示省略）を詰め込み一体化すれば足りる。
【０１５７】
念のために言えば、複数の保管庫本体（Ａ）を積み重ね状態として、既設の屋内装備品である収納棚などの開口枠（Ｍ）へ後付け式に嵌め込み固定するような場合には、上記仕切り壁パネル（２０）（２１）（２２）の組立作業を保管庫本体（Ａ）の最下段から最上段へと順次に実行すれば良い。
【０１５８】
尚、上記保管庫本体（Ａ）を後付け式として、既設の屋内装備品である机やキャビネットなどの引出しへ嵌め込み固定するような場合には、上記収納棚などの開口枠（Ｍ）に対する組立順序に準じて、その引出し内部へ第１〜４囲いパネル（Ｆ１）（Ｆ２）（Ｆ３）（Ｆ４）を両面接着テープにより貼り付けた後、端部仕切り壁パネル（２０）や中間仕切り壁パネル（２１）（２２）、仕切りプレート（２８）を上方から差し込めば良い。
【０１５９】
何れの場合にも、端部インデックスパネル（２６）は上記第３、４囲いパネル（Ｆ３）（Ｆ４）の何れか一方と端部仕切り壁パネル（２０）との両木口面に亘って予じめ貼り付け一体化しておき、又中間インデックスパネル（２７）は２個１組をなす中間仕切り壁パネル（２１）（２２）同志の両木口面に亘って予じめ貼り付け一体化しておくことが、上記組立作業を簡略化する意味において、好ましいと言える。
【図面の簡単な説明】
【０１６０】
【図１】本発明に係る物品整理保管庫の第１実施形態を示す分解斜面図である。
【図２】図１の組立状態を示す斜面図である。
【図３】図１の組立状態を示す正面図である。
【図４】図３の４−４線拡大断面図である。
【図５】図４の５−５線断面図である。
【図６】図４の６−６線断面図である。
【図７】図４の７−７線断面図である。
【図８】第１、２囲いパネルにおけるパネル本体化粧板と溝付き化粧板との分解状態を示す斜面図である。
【図９】図８の貼り合わせ状態を示す斜面図である。
【図１０】第３、４囲いパネルにおけるパネル本体化粧板と溝付き化粧板との分解状態を示す斜面図である。
【図１１】図１０の貼り合わせ状態を示す斜面図である。
【図１２】仕切りプレートを抽出して示す斜面図である。
【図１３】図１２の１３−１３線断面図である。
【図１４】仕切りプレートの変形実施形態を示す斜面図である。
【図１５】本発明に係る物品整理保管庫の第２実施形態を示す図３に対応する正面図である。
【図１６】本発明に係る物品整理保管庫の第３実施形態を示す図３に対応する正面図である。
【図１７】本発明に係る物品整理保管庫の第４実施形態を示す図３に対応する正面図である。
【図１８】同じく第４実施形態を示す図５に対応する断面図である。
【図１９】本発明に係る物品整理保管庫の第５実施形態を示す図３に対応する正面図である。
【図２０】同じく第５実施形態を示す図５に対応する断面図である。
【図２１】物品整理保管庫の前向き単独仕様を例示する正面図である。
【図２２】図２１の２２−２２線拡大断面図である。
【図２３】仕切りプレート用収納ボックスを抽出して示す斜面図である。
【図２４】図２１から方向変換した物品整理保管庫を示す正面図である。
【図２５】物品整理保管庫の上向き単独仕様を例示する斜面図である。
【図２６】回動扉付きの物品整理保管庫を例示する断面図である。
【図２７】スライドシャッター付きの物品整理保管庫を例示する正面図である。
【図２８】図２７の２８−２８線拡大断面図である。
【図２９】携帯式の物品整理保管庫を例示する斜面図である。
【図３０】引出し式の物品整理保管庫を例示する斜面図である。
【図３１】複数の保管庫本体から組み合わせユニット化した複合式の物品整理保管庫を例示する斜面図である。
【図３２】別な複合式の物品整理保管庫を例示する斜面図である。
【図３３】更に別な複合式の物品整理保管庫を例示する斜面図である。
【図３４】キャビネットの引出しに嵌め込み固定した物品整理保管庫を例示する斜面図である。
【図３５】収納棚に嵌め込み固定した物品整理保管庫を例示する正面図である。
【符号の説明】
【０１６１】
（１１）・仕切り壁パネル受け入れ溝レール
（１２）・パネル本体化粧板
（１３）・溝付き化粧板
（１５）（２３）・（３２）・仕切り壁パネル受け入れ溝レール
（１６）（２４）・パネル本体化粧板
（１７）（２５）・溝付き化粧板
（１９）・端部装飾パネル
（２０）・端部仕切り壁パネル
（２１）（２２）（２１ａ）（２２ａ）（２１ｂ）（２２ｂ）・中間仕切り壁パネル
（２６）・端部インデックスパネル
（２７）・中間インデックスパネル
（２８）・仕切りプレート
（２９）・識別標章
（３０）・被膜
（３１）・指先挿入切欠
（３３）・差し込み凸レール
（３４）・接地脚座
（３５）・接地キャスター
（３６）・揚げ底板
（３７）・天板
（３８）・仕切りプレート用収納ボックス
（３９）・正面開閉扉
（４４）・回動扉
（４７）・スライドシャッター
（４９）（５０）・把手
（５２）・外装化粧枠
（５３）・外装化粧板
（Ａ）・保管庫本体
（Ｆ１）・第１囲いパネル
（Ｆ２）・第２囲いパネル
（Ｆ３）・第４囲いパネル
（Ｆ４）・第５囲いパネル
（Ｆ５）・背面パネル
（Ｍ）・既設装備品の開口枠
（Ｒ）・物品収納室
（Ｐ１）（Ｐ２）（Ｐ３）（Ｐ４）・間隔ピッチ
（Ｓ１）（Ｓ２）（Ｓ３）（Ｓ４）・開口幅
（Ｄ１）（Ｄ２）（Ｄ３）（Ｄ４）・開口深さ
（Ｗ１）（Ｗ２）（Ｗ３）・板幅
【図１】
2006198009.tif 000003
【図２】
2006198009.tif 000004
【図３】
2006198009.tif 000005
【図４】
2006198009.tif 000006
【図５】
2006198009.tif 000007
【図６】
2006198009.tif 000008
【図７】
2006198009.tif 000009
【図８】
2006198009.tif 000010
【図９】
2006198009.tif 000011
【図１０】
2006198009.tif 000012
【図１１】
2006198009.tif 000013
【図１２】
2006198009.tif 000014
【図１３】
2006198009.tif 000015
【図１４】
2006198009.tif 000016
【図１５】
2006198009.tif 000017
【図１６】
2006198009.tif 000018
【図１７】
2006198009.tif 000019
【図１８】
2006198009.tif 000020
【図１９】
2006198009.tif 000021
【図２０】
2006198009.tif 000022
【図２１】
2006198009.tif 000023
【図２２】
2006198009.tif 000024
【図２３】
2006198009.tif 000025
【図２４】
2006198009.tif 000026
【図２５】
2006198009.tif 000027
【図２６】
2006198009.tif 000028
【図２７】
2006198009.tif 000029
【図２８】
2006198009.tif 000030
【図２９】
2006198009.tif 000031
【図３０】
2006198009.tif 000032
【図３１】
2006198009.tif 000033
【図３２】
2006198009.tif 000034
【図３３】
2006198009.tif 000035
【図３４】
2006198009.tif 000036
【図３５】
2006198009.tif 000037
【手続補正書】
【提出日】平成17年1月28日(2005.1.28)
【手続補正１】
【補正対象書類名】特許請求の範囲
【補正対象項目名】請求項１０
【補正方法】変更
【補正の内容】
【請求項１０】
第１〜４囲いパネル（Ｆ１）（Ｆ２）（Ｆ３）（Ｆ４）と仕切り壁パネル（２０）（２１）（２２）（２１ａ）（２２ａ）（２１ｂ）（２２ｂ）とが悉く実質的に同じ構成として、その何れも合板やパーティクルボード、ＭＤＦなどの木質基材をメラミン樹脂やその他の合成樹脂製化粧シートによりオーバーレイしたパネル本体化粧板（１２）（１６）（２４）と、予じめ仕切りプレート受け入れ溝レール（１５）（２３）（３２）を切り欠き加工した同じ溝付き化粧板（１３）（１７）（２５）とから貼り合わされていることを特徴とする請求項４、５、６、７、８又は９記載の物品整理保管庫。
【手続補正２】
【補正対象書類名】明細書
【補正対象項目名】００６１
【補正方法】変更
【補正の内容】
【００６１】
請求項１０の構成では、第１〜４囲いパネルと仕切り壁パネルとが悉く実質的に同じ構成として、その何れも合板やパーティクルボード、ＭＤＦなどの木質基材をメラミン樹脂やその他の合成樹脂製化粧シートによりオーバーレイしたパネル本体化粧板と、予じめ仕切りプレート受け入れ溝レールを切り欠き加工した同じ溝付き化粧板とから貼り合わされていることを特徴とする。
【手続補正３】
【補正対象書類名】明細書
【補正対象項目名】００７２
【補正方法】変更
【補正の内容】
【００７２】
他方、上記仕切りプレート受け入れ溝レールの多数も一定の開口幅と間隔ピッチを保つ平行状態にあり、その第３囲いパネルと上記端部仕切り壁パネルとの向かい合う仕切りプレート受け入れ溝レールへ差し込み使用された仕切りプレートによって、保管庫本体の枠内に仕切り区分された物品収納室の片側には、その仕切りプレートと直交する配列関係の上記端部インデックスパネルが必らず隣接することになるため、これに付与する識別標章を見出しとして、その物品収納室毎に収納された各種物品をその収納作業に携った本人のみならず、第三者でも誤まりなく瞬時に取り出せるのである。
【手続補正４】
【補正対象書類名】明細書
【補正対象項目名】００９７
【補正方法】変更
【補正の内容】
【００９７】
何れにしても、保管庫本体（Ａ）の枠組み状態では第１、２囲いパネル（Ｆ１）（Ｆ２）の仕切り壁パネル受け入れ溝レール（１１）と、第３、４囲いパネル（Ｆ３）（Ｆ４）の仕切りプレート受け入れ溝レール（１５）とが互いに直交した平面上に配列されている。しかも、先に例示した数値の比較から明白なように、上記仕切り壁パネル受け入れ溝レール（１１）と仕切りプレート受け入れ溝レール（１５）とは、その開口幅（Ｓ１）（Ｓ２）と間隔ピッチ（Ｐ１）（Ｐ２）について、互いに相違変化している。
【手続補正５】
【補正対象書類名】明細書
【補正対象項目名】０１１０
【補正方法】変更
【補正の内容】
【０１１０】
更に、上記端部インデックスパネル（２６）を端部仕切り壁パネル（２０）と第４囲いパネル（Ｆ４）との両木口面に亘って予じめ貼り付けておく一方、中間インデックスパネル（２７）を上記中間仕切り壁パネル（２１）（２２）同志の両木口面に亘って貼り付けておき、その端部インデックスパネル（２６）を第１、２囲いパネル（Ｆ１）（Ｆ２）による上下方向からの挟み付け状態として、保管庫本体（Ａ）を枠組み一体化した後に、中間インデックスパネル（２７）の言わば差し込みレールとなる両中間仕切り壁パネル（２１）（２２）を第１、２囲いパネル（Ｆ１）（Ｆ２）の向かい合う仕切り壁パネル受け入れ溝レール（１１）へ、その保管庫本体（Ａ）の正面から差し込んでも良く、これらの組立順序は問わない。
【手続補正６】
【補正対象書類名】明細書
【補正対象項目名】０１４９
【補正方法】変更
【補正の内容】
【０１４９】
又、別な図３２に示した物品整理保管庫では、互いに同じ大きさの立方体型に枠組み一体化された合計４個の保管庫本体（Ａ）を、その開放する正面が交互に横向きとなる全体的な１段の横並び状態に組み合わせユニット化して、その異なる横方向（前後方向と左右方向）から保管庫本体（Ａ）の物品収納室（Ｒ）へ、各種物品の出し入れ操作を行なえるように定めている。
【手続補正７】
【補正対象書類名】明細書
【補正対象項目名】０１５４
【補正方法】変更
【補正の内容】
【０１５４】
つまり、上記第１、２実施形態に示した保管庫本体（Ａ）を後付け式として、例えば図３５のような既設の屋内装備品である収納棚の開口枠（Ｍ）へ嵌め込み固定するに当っては、先ず上記保管庫本体（Ａ）の第１〜４囲いパネル（Ｆ１）（Ｆ２）（Ｆ３）（Ｆ４）をその開口枠（Ｍ）の内部へ、図外の両面接着テープやタッピングネジなどにより固定し、次いで第３、４囲いパネル（Ｆ３）（Ｆ４）の左右何れか一方と隣り合う位置へ、垂直な端部仕切り壁パネル（２０）を正面から差し込んで、第１、２囲いパネル（Ｆ１）（Ｆ２）や背面パネル（Ｆ５）へやはり両面接着テープやタッピングネジなどによって固定する。
【手続補正８】
【補正対象書類名】明細書
【補正対象項目名】０１５８
【補正方法】変更
【補正の内容】
【０１５８】
尚、同じく第１、２実施形態の保管庫本体（Ａ）をやはり後付け式として、例えば図３４のような既設の屋内装備品である机やキャビネットなどの引出しへ嵌め込み固定するような場合には、上記収納棚などの開口枠（Ｍ）に対する組立順序に準じて、その引出し内部へ第１〜４囲いパネル（Ｆ１）（Ｆ２）（Ｆ３）（Ｆ４）を両面接着テープにより貼り付けた後、端部仕切り壁パネル（２０）や中間仕切り壁パネル（２１）（２２）、仕切りプレート（２８）を上方から差し込めば良い。
【手続補正９】
【補正対象書類名】明細書
【補正対象項目名】０１６０
【補正方法】変更
【補正の内容】
【０１６０】
【図１】本発明に係る物品整理保管庫の第１実施形態を示す分解斜面図である。
【図２】図１の組立状態を示す斜面図である。
【図３】図１の組立状態を示す正面図である。
【図４】図３の４−４線拡大断面図である。
【図５】図４の５−５線断面図である。
【図６】図４の６−６線断面図である。
【図７】図４の７−７線断面図である。
【図８】第１、２囲いパネルにおけるパネル本体化粧板と溝付き化粧板との分解状態を示す斜面図である。
【図９】図８の貼り合わせ状態を示す斜面図である。
【図１０】第３、４囲いパネルにおけるパネル本体化粧板と溝付き化粧板との分解状態を示す斜面図である。
【図１１】図１０の貼り合わせ状態を示す斜面図である。
【図１２】仕切りプレートを抽出して示す斜面図である。
【図１３】図１２の１３−１３線断面図である。
【図１４】仕切りプレートの変形実施形態を示す斜面図である。
【図１５】本発明に係る物品整理保管庫の第２実施形態を示す図３に対応する正面図である。
【図１６】本発明に係る物品整理保管庫の第３実施形態を示す図３に対応する正面図である。
【図１７】本発明に係る物品整理保管庫の第４実施形態を示す図３に対応する正面図である。
【図１８】同じく第４実施形態を示す図５に対応する断面図である。
【図１９】本発明に係る物品整理保管庫の第５実施形態を示す図３に対応する正面図である。
【図２０】同じく第５実施形態を示す図５に対応する断面図である。
【図２１】物品整理保管庫の前向き単独仕様を例示する正面図である。
【図２２】図２１の２２−２２線拡大断面図である。
【図２３】仕切りプレート用収納ボックスを抽出して示す斜面図である。
【図２４】図２１から方向変換した物品整理保管庫を示す正面図である。
【図２５】物品整理保管庫の上向き単独仕様を例示する斜面図である。
【図２６】回動扉付きの物品整理保管庫を例示する断面図である。
【図２７】スライドシャッター付きの物品整理保管庫を例示する正面図である。
【図２８】図２７の２８−２８線拡大断面図である。
【図２９】携帯式の物品整理保管庫を例示する斜面図である。
【図３０】引出し式の物品整理保管庫を例示する斜面図である。
【図３１】複数の保管庫本体から組み合わせユニット化した複合仕様の物品整理保管庫を例示する斜面図である。
【図３２】別な複合仕様の物品整理保管庫を例示する斜面図である。
【図３３】更に別な複合仕様の物品整理保管庫を例示する斜面図である。
【図３４】キャビネットの引出しに嵌め込み固定した物品整理保管庫を例示する斜面図である。
【図３５】収納棚に嵌め込み固定した物品整理保管庫を例示する正面図である。
【手続補正１０】
【補正対象書類名】図面
【補正対象項目名】図６
【補正方法】変更
【補正の内容】
【図６】
2006198009.tif 000038
【手続補正１１】
【補正対象書類名】図面
【補正対象項目名】図１５
【補正方法】変更
【補正の内容】
【図１５】
2006198009.tif 000039
【手続補正１２】
【補正対象書類名】図面
【補正対象項目名】図１７
【補正方法】変更
【補正の内容】
【図１７】
2006198009.tif 000040
【手続補正１３】
【補正対象書類名】図面
【補正対象項目名】図２１
【補正方法】変更
【補正の内容】
【図２１】
2006198009.tif 000041
【手続補正１４】
【補正対象書類名】図面
【補正対象項目名】図２２
【補正方法】変更
【補正の内容】
【図２２】
2006198009.tif 000042
【手続補正１５】
【補正対象書類名】図面
【補正対象項目名】図２４
【補正方法】変更
【補正の内容】
【図２４】
2006198009.tif 000043
【手続補正１６】
【補正対象書類名】図面
【補正対象項目名】図２５
【補正方法】変更
【補正の内容】
【図２５】
2006198009.tif 000044
【手続補正１７】
【補正対象書類名】図面
【補正対象項目名】図２７
【補正方法】変更
【補正の内容】
【図２７】
2006198009.tif 000045
【手続補正１８】
【補正対象書類名】図面
【補正対象項目名】図２８
【補正方法】変更
【補正の内容】
【図２８】
2006198009.tif 000046
【手続補正１９】
【補正対象書類名】図面
【補正対象項目名】図２９
【補正方法】変更
【補正の内容】
【図２９】
2006198009.tif 000047
【手続補正２０】
【補正対象書類名】図面
【補正対象項目名】図３０
【補正方法】変更
【補正の内容】
【図３０】
2006198009.tif 000048
【手続補正２１】
【補正対象書類名】図面
【補正対象項目名】図３１
【補正方法】変更
【補正の内容】
【図３１】
2006198009.tif 000049
【手続補正２２】
【補正対象書類名】図面
【補正対象項目名】図３２
【補正方法】変更
【補正の内容】
【図３２】
2006198009.tif 000050
【手続補正２３】
【補正対象書類名】図面
【補正対象項目名】図３３
【補正方法】変更
【補正の内容】
【図３３】
2006198009.tif 000051
【手続補正２４】
【補正対象書類名】図面
【補正対象項目名】図３４
【補正方法】変更
【補正の内容】
【図３４】
2006198009.tif 000052
【手続補正２５】
【補正対象書類名】図面
【補正対象項目名】図３５
【補正方法】変更
【補正の内容】
【図３５】
2006198009.tif 000053
【手続補正書】
【提出日】平成17年6月20日(2005.6.20)
【手続補正１】
【補正対象書類名】特許請求の範囲
【補正対象項目名】請求項１
【補正方法】変更
【補正の内容】
【請求項１】
一定の開口幅（Ｓ１）と間隔ピッチ（Ｐ１）を保つ平行な多数の仕切り壁パネル受け入れ溝レール（１１）が、内側板面の奥行方向に沿って列設された互いに同じ向かい合う一対の第１、２囲いパネル（Ｆ１）（Ｆ２）と、
その第１、２囲いパネル（Ｆ１）（Ｆ２）の仕切り壁パネル受け入れ溝レール（１１）と直交する平面上にある多数の平行な仕切りプレート受け入れ溝レール（１５）が、上記仕切り壁パネル受け入れ溝レール（１１）よりも狭い一定の開口幅（Ｓ２）と間隔ピッチ（Ｐ２）を保って、やはり内側板面の奥行方向に沿って列設された互いに同じ向かい合う一対の第３、４囲いパネル（Ｆ３）（Ｆ４）と、
その第３、４囲いパネル（Ｆ３）（Ｆ４）の仕切りプレート受け入れ溝レール（１５）と同じ平行な多数の仕切りプレート受け入れ溝レール（２３）が、片側板面の奥行方向に沿って列設された少なくとも１個の仕切り壁パネル（２０）とを備え、
上記第１〜４囲いパネル（Ｆ１）（Ｆ２）（Ｆ３）（Ｆ４）と背面パネル（Ｆ５）とから、正面だけが開放する直方体型又は立方体型の保管庫本体（Ａ）を枠組み一体化し、
上記第３、４囲いパネル（Ｆ３）（Ｆ４）のうち、その何れか一方における第３囲いパネル（Ｆ３）の木口面へ正面から端部装飾パネル（１９）を、その第３囲いパネル（Ｆ３）の仕切りプレート受け入れ溝レール（１５）が閉塞されないように被着一体化する一方、
残る他方の第４囲いパネル（Ｆ４）と隣り合う位置に並列することとなる端部仕切り壁パネル（２０）の１個を、上記第１、２囲いパネル（Ｆ１）（Ｆ２）の向かい合う仕切り壁パネル受け入れ溝レール（１１）へ正面から差し込み固定して、
その端部仕切り壁パネル（２０）と第４囲いパネル（Ｆ４）との両木口面に亘って、正面から上記端部装飾パネル（１９）よりも広い一定板幅（Ｗ２）の端部インデックスパネル（２６）を、その端部仕切り壁パネル（２０）の仕切りプレート受け入れ溝レール（２３）が閉塞されないように被着一体化すると共に、
上記第３囲いパネル（Ｆ３）と端部仕切り壁パネル（２０）との仕切りプレート受け入れ溝レール（１５）（２３）同志が向かい合う相互間に亘って、正面から所要数の仕切りプレート（２８）を抜き差し自在に差し込み使用することにより、上記保管庫本体（Ａ）の枠内を複数の物品収納室（Ｒ）として仕切り細分し、
その複数の物品収納室（Ｒ）毎に収納される各種物品の見出しとなる識別標章（２９）を、上記端部インデックスパネル（２６）へ付与できるように定めたことを特徴とする物品整理保管庫。
【手続補正２】
【補正対象書類名】特許請求の範囲
【補正対象項目名】請求項４
【補正方法】変更
【補正の内容】
【請求項４】
一定の開口幅（Ｓ４）と間隔ピッチ（Ｐ４）を保つ平行な多数の仕切りプレート受け入れ溝レール（３２）が、内側板面の奥行方向に沿って列設された互いに同じ向かい合う一対の第１、２囲いパネル（Ｆ１）（Ｆ２）と、
その第１、２囲いパネル（Ｆ１）（Ｆ２）の仕切りプレート受け入れ溝レール（３２）と直交する平面上にある同じ平行な多数の仕切りプレート受け入れ溝レール（１５）が、やはり内側板面の奥行方向に沿って列設された互いに同じ向かい合う一対の第３、４囲いパネル（Ｆ３）（Ｆ４）と、
上記第１〜４囲いパネル（Ｆ１）（Ｆ２）（Ｆ３）（Ｆ４）の仕切りプレート受け入れ溝レール（３２）（１５）と同じ平行な多数の仕切りプレート受け入れ溝レール（２３）が、片側板面の奥行方向に沿って列設され、且つ上記第１〜４囲いパネル（Ｆ１）（Ｆ２）（Ｆ３）（Ｆ４）の仕切りプレート受け入れ溝レール（３２）（１５）へ差し込み可能な差し込み凸レール（３３）が、両端木口面の奥行方向に沿って列設された少なくとも１個の仕切り壁パネル（２０）とを備え、
上記第１〜４囲いパネル（Ｆ１）（Ｆ２）（Ｆ３）（Ｆ４）と背面パネル（Ｆ５）とから、正面だけが開放する直方体型又は立方体型の保管庫本体（Ａ）を枠組み一体化し、
上記第３、４囲いパネル（Ｆ３）（Ｆ４）のうち、その何れか一方における第３囲いパネル（Ｆ３）の木口面へ正面から端部装飾パネル（１９）を、その第３囲いパネル（Ｆ３）の仕切りプレート受け入れ溝レール（１５）が閉塞されないように被着一体化する一方、
残る他方の第４囲いパネル（Ｆ４）と隣り合う位置に１個だけ並列することとなる端部仕切り壁パネル（２０）の差し込み凸レール（３３）を、上記第１、２囲いパネル（Ｆ１）（Ｆ２）の向かい合う仕切りプレート受け入れ溝レール（３２）へ正面から差し込み固定して、
その端部仕切り壁パネル（２０）と第４囲いパネル（Ｆ４）との両木口面に亘って、正面から上記端部装飾パネル（１９）よりも広い一定板幅（Ｗ２）の端部インデックスパネル（２６）を、その端部仕切り壁パネル（２０）の仕切りプレート受け入れ溝レール（２３）が閉塞されないように被着一体化すると共に、
上記第３囲いパネル（Ｆ３）と端部仕切り壁パネル（２０）との仕切りプレート受け入れ溝レール（１５）（２３）同志が向かい合う相互間に亘って、正面から所要数の仕切りプレート（２８）を抜き差し自在に差し込み使用することにより、上記保管庫本体（Ａ）の枠内を複数の物品収納室（Ｒ）として仕切り細分し、
その複数の物品収納室（Ｒ）毎に収納される各種物品の見出しとなる識別標章（２９）を、上記端部インデックスパネル（２６）へ付与できるように定めたことを特徴とする物品整理保管庫。
【手続補正３】
【補正対象書類名】特許請求の範囲
【補正対象項目名】請求項７
【補正方法】変更
【補正の内容】
【請求項７】
一定の開口幅（Ｓ４）と間隔ピッチ（Ｐ４）を保つ平行な多数の仕切りプレート受け入れ溝レール（３２）が、内側板面の奥行方向に沿って列設された互いに同じ向かい合う一対の第１、２囲いパネル（Ｆ１）（Ｆ２）と、
その第１、２囲いパネル（Ｆ１）（Ｆ２）の仕切りプレート受け入れ溝レール（３２）と直交する平面上にある同じ平行な多数の仕切りプレート受け入れ溝レール（１５）が、やはり内側板面の奥行方向に沿って列設された互いに同じ向かい合う一対の第３、４囲いパネル（Ｆ３）（Ｆ４）と、
上記第１〜４囲いパネル（Ｆ１）（Ｆ２）（Ｆ３）（Ｆ４）の仕切りプレート受け入れ溝レール（３２）（１５）と同じ平行な多数の仕切りプレート受け入れ溝レール（２３）が、片側板面の奥行方向に沿って列設され、且つ上記第１〜４囲いパネル（Ｆ１）（Ｆ２）（Ｆ３）（Ｆ４）の仕切りプレート受け入れ溝レール（３２）（１５）へ差し込み可能な差し込み凸レール（３３）が、両端木口面の奥行方向に沿って列設された少なくとも１個の仕切り壁パネル（２０）とを備え、
上記第１〜４囲いパネル（Ｆ１）（Ｆ２）（Ｆ３）（Ｆ４）と背面パネル（Ｆ５）とから、正面だけが開放する直方体型又は立方体型の保管庫本体（Ａ）を枠組み一体化し、
上記第１、２囲いパネル（Ｆ１）（Ｆ２）のうち、その何れか一方における第２囲いパネル（Ｆ２）の木口面へ正面から端部装飾パネル（１９）を、その第２囲いパネル（Ｆ２）の仕切りプレート受け入れ溝レール（３２）が閉塞されないように被着一体化する一方、
残る他方の第１囲いパネル（Ｆ１）と隣り合う位置に１個だけ並列することとなる端部仕切り壁パネル（２０）の差し込み凸レール（３３）を、上記第３、４囲いパネル（Ｆ３）（Ｆ４）の向かい合う仕切りプレート受け入れ溝レール（１５）へ正面から差し込み固定して、
その端部仕切り壁パネル（２０）と第１囲いパネル（Ｆ１）との両木口面に亘って、正面から上記端部装飾パネル（１９）よりも広い一定板幅（Ｗ２）の端部インデックスパネル（２６）を、その端部仕切り壁パネル（２０）の仕切りプレート受け入れ溝レール（２３）が閉塞されないように被着一体化すると共に、
上記第２囲いパネル（Ｆ２）と端部仕切り壁パネル（２０）との仕切りプレート受け入れ溝レール（３２）（２３）同志が向かい合う相互間に亘って、正面から所要数の仕切りプレート（２８）を抜き差し自在に差し込み使用することにより、上記保管庫本体（Ａ）の枠内を複数の物品収納室（Ｒ）として仕切り細分し、
その複数の物品収納室（Ｒ）毎に収納される各種物品の見出しとなる識別標章（２９）を、上記端部インデックスパネル（２６）へ付与できるように定めたことを特徴とする物品整理保管庫。
【手続補正４】
【補正対象書類名】明細書
【補正対象項目名】００１８
【補正方法】変更
【補正の内容】
【００１８】
その第１、２囲いパネルの仕切り壁パネル受け入れ溝レールと直交する平面上にある多数の平行な仕切りプレート受け入れ溝レールが、上記仕切り壁パネル受け入れ溝レールよりも狭い一定の開口幅と間隔ピッチを保って、やはり内側板面の奥行方向に沿って列設された互いに同じ向かい合う一対の第３、４囲いパネルと、
【手続補正５】
【補正対象書類名】明細書
【補正対象項目名】００３２
【補正方法】変更
【補正の内容】
【００３２】
その第１、２囲いパネルの仕切りプレート受け入れ溝レールと直交する平面上にある同じ平行な多数の仕切りプレート受け入れ溝レールが、やはり内側板面の奥行方向に沿って列設された互いに同じ向かい合う一対の第３、４囲いパネルと、
【手続補正６】
【補正対象書類名】明細書
【補正対象項目名】００４７
【補正方法】変更
【補正の内容】
【００４７】
その第１、２囲いパネルの仕切りプレート受け入れ溝レールと直交する平面上にある同じ平行な多数の仕切りプレート受け入れ溝レールが、やはり内側板面の奥行方向に沿って列設された互いに同じ向かい合う一対の第３、４囲いパネルと、
【手続補正７】
【補正対象書類名】明細書
【補正対象項目名】０１１１
【補正方法】変更
【補正の内容】
【０１１１】
そして、上記２個１組として並列する中間仕切り壁パネル（２１）（２２）のうち、その一方の中間仕切り壁パネル（２１）と端部仕切り壁パネル（２０）との仕切りプレート受け入れ溝レール（２３）同志が向かい合う左右相互間や、残る他方の中間仕切り壁パネル（２２）と第３囲いパネル（Ｆ３）との仕切りプレート受け入れ溝レール（２３）（１５）同志が向かい合う左右相互間に亘って、ユーザーが保管庫本体（Ａ）の正面から希望する個数の水平な仕切りプレート（２８）を抜き差し自在に差し込み使用することにより、上記保管庫本体（Ａ）の枠内を複数段の物品収納室（Ｒ）として仕切り細分し、その内部へ冒頭に述べた各種物品を収納するのである。
【手続補正８】
【補正対象書類名】明細書
【補正対象項目名】０１１４
【補正方法】変更
【補正の内容】
【０１１４】
その場合、その仕切りプレート（２８）の差し込み方向となる正面側又は背面側の一辺には、操作手の指先挿入切欠（３１）を円弧状に付与しておくことが好ましい。ここから挿入した操作手によって、その仕切りプレート（２８）や各種物品の取り出しを容易に行なえるからである。又、上記合板の複数を図１４のように貼り合わせたり、合成樹脂板を厚肉化したりして、各種物品の重量に耐える支持強度を与えることも可能である。